(57)【要約】例えば、高効率ＷＬＡＮ用の、同時リンクセットアップおよびダウンリンクデータ取得のためのシステム、方法、および手段が、開示される。アクセスポイント（ＡＰ）は、アクセスポイントとのプレアソシエーション送信のためのリソースを割り当てるトリガ要素を送信することができる。トリガ要素は、ランダムアクセスおよび／または決定論的アクセスのためのリソースを割り当てることができる。ＡＰは、関連付けられていないＳＴＡから、トリガ要素において割り当てられた１つまたは複数のリソースユニット（ＲＵ）を介して、第１のフレームを受信することができる。ＡＰは、関連付けられていないＳＴＡを識別するプレアソシエーション識別子（ＰＩＤ）を決定することができる。ＡＰは、例えば、トリガ要素またはマルチＳＴＡ  ＡＣＫにおいて、ＰＩＤを関連付けられていないＳＴＡに送信することができる。ＡＰは、ＰＩＤを含む、マルチユーザ（ＭＵ）送信と関連付けられた第２のフレームを送信することができる。ＡＰは、ＰＩＤを含むトリガフレームを送信することができる。
2018534862.tif 000002
【特許請求の範囲】
【請求項１】
アクセスポイント（ＡＰ）とのプレアソシエーションの方法であって、
リソースを割り当てるトリガ要素を送信するステップと、
関連付けられていない局（ＳＴＡ）から、前記トリガ要素において割り当てられた１つまたは複数のリソースユニット（ＲＵ）を介して、第１のフレームを受信するステップと、
前記関連付けられていないＳＴＡを識別するプレアソシエーション識別子（ＰＩＤ）を決定するステップと、
マルチユーザ（ＭＵ）送信と関連付けられた第２のフレームを送信するステップであって、前記第２のフレームは、前記ＰＩＤを含む、ステップと、
前記ＰＩＤを含むトリガフレームを送信するステップであって、前記トリガフレームは、前記関連付けられていないＳＴＡが前記ＡＰとのアソシエーションを行う前に、送信される、ステップと
を含む方法。
【請求項２】
前記トリガフレームに応答して、前記関連付けられていないＳＴＡから、アソシエーション要求フレームを受信するステップと、
前記アソシエーション要求フレームに応答して、アソシエーション識別子（ＡＩＤ）を示すアソシエーション応答フレームを送信するステップと
をさらに含む請求項１に記載の方法。
【請求項３】
前記関連付けられていないＳＴＡのための前記ＡＩＤとして前記ＰＩＤを使用することを決定するステップをさらに含む請求項２に記載の方法。
【請求項４】
前記第２のフレームは、ダウンリンクＭＵ物理レイヤ収束プロトコル（ＰＬＣＰ）プロトコルデータユニット（ＰＰＤＵ）のプリアンブル内の信号（ＳＩＧ）フィールド内に前記ＰＩＤを含む請求項１に記載の方法。
【請求項５】
前記リソースは、アソシエーションのために必要とされる１つまたは複数の送信のために、前記ＡＰを用いて割り当てられる請求項１に記載の方法。
【請求項６】
前記第１のフレームの受信に応答して、前記ＰＩＤを示すマルチＳＴＡ送達確認（ＡＣＫ）を送信するステップをさらに含む請求項１に記載の方法。
【請求項７】
第１の送信機会（ＴＸＯＰ）において、前記トリガ要素が、送信され、前記第１のフレームが、受信され、第２のＴＸＯＰにおいて、前記第２のフレームが、送信される請求項１に記載の方法。
【請求項８】
前記トリガ要素は、ランダムアクセスまたは決定論的アクセスの１つまたは複数のために前記リソースを割り当てる請求項１に記載の方法。
【請求項９】
前記第１のフレームは、認証要求フレームであり、前記第２のフレームは、認証応答フレームである請求項１に記載の方法。
【請求項１０】
前記トリガ要素は、前記関連付けられていないＳＴＡに前記ＰＩＤを示す請求項１に記載の方法。
【請求項１１】
メモリと、
送受信機と、
プロセッサと
を備えるアクセスポイント（ＡＰ）であって、前記ＡＰは、
前記ＡＰとの送信のためのリソースを割り当てるトリガ要素を送信することと、
関連付けられていない局（ＳＴＡ）から、前記トリガ要素において割り当てられた１つまたは複数のリソースユニット（ＲＵ）を介して、第１のフレームを受信することと、
前記関連付けられていないＳＴＡを識別するプレアソシエーション識別子（ＰＩＤ）を決定することと、
マルチユーザ（ＭＵ）送信と関連付けられた第２のフレームを送信することであって、前記第２のフレームは、前記ＰＩＤを含む、送信することと、
前記ＰＩＤを含むトリガフレームを送信することであって、前記トリガフレームは、前記関連付けられていないＳＴＡが前記ＡＰとのアソシエーションを行う前に、送信される、送信することと
を行うように構成されるＡＰ。
【請求項１２】
前記トリガフレームに応答して、前記関連付けられていないＳＴＡから、アソシエーション要求フレームを受信することと、
前記アソシエーション要求フレームに応答して、アソシエーション識別子（ＡＩＤ）を示すアソシエーション応答フレームを送信することと
を行うようにさらに構成される請求項１１に記載のＡＰ。
【請求項１３】
前記関連付けられていないＳＴＡのための前記ＡＩＤとして前記ＰＩＤを使用することを決定することを行うようにさらに構成される請求項１２に記載のＡＰ。
【請求項１４】
前記第２のフレームは、ダウンリンクＭＵ物理レイヤ収束プロトコル（ＰＬＣＰ）プロトコルデータユニット（ＰＰＤＵ）のプリアンブル内の信号（ＳＩＧ）フィールド内に前記ＰＩＤを含む請求項１１に記載のＡＰ。
【請求項１５】
前記リソースは、アソシエーションのために必要とされる１つまたは複数の送信のために、前記ＡＰを用いて割り当てられる請求項１１に記載のＡＰ。
【請求項１６】
前記第１のフレームの受信に応答して、前記ＰＩＤを示すマルチＳＴＡ送達確認（ＡＣＫ）を送信することを行うようにさらに構成される請求項１１に記載のＡＰ。
【請求項１７】
第１の送信機会（ＴＸＯＰ）において、前記トリガ要素が、送信され、前記第１のフレームが、受信され、第２のＴＸＯＰにおいて、前記第２のフレームが、送信される請求項１１に記載のＡＰ。
【請求項１８】
前記トリガ要素は、ランダムアクセスまたは決定論的アクセスの１つまたは複数のために前記リソースを割り当てる請求項１１に記載のＡＰ。
【請求項１９】
前記第１のフレームは、認証要求フレームであり、前記第２のフレームは、認証応答フレームである請求項１１に記載のＡＰ。
【請求項２０】
前記トリガ要素は、前記関連付けられていないＳＴＡに前記ＰＩＤを示す請求項１１に記載のＡＰ。
【請求項２１】
メモリと、
送受信機と、
プロセッサと
を備える、関連付けられていない局（ＳＴＡ）であって、
アクセスポイント（ＡＰ）との送信のためのリソースを割り当てるトリガ要素を受信することと、
前記ＡＰに、前記トリガ要素において割り当てられた１つまたは複数のリソースユニット（ＲＵ）を使用して、第１のフレームを送信することと、
前記第１のフレームに応答して、送達確認（ＡＣＫ）を受信することと、
前記ＡＰから、前記関連付けられていないＳＴＡを識別するプレアソシエーション識別子（ＰＩＤ）を受信することと、
マルチユーザ（ＭＵ）送信と関連付けられた第２のフレームを受信することであって、前記第２のフレームは、前記ＰＩＤを含む、受信することと、
前記ＰＩＤを含むトリガフレームを受信することと
を行うように構成される、関連付けられていないＳＴＡ。
【請求項２２】
前記トリガフレームに応答して、前記ＡＰに、アソシエーション要求フレームを送信することと、
アソシエーション識別子（ＡＩＤ）を示すアソシエーション応答フレームを受信することと
を行うようにさらに構成される請求項２１に記載の関連付けられていないＳＴＡ。
【請求項２３】
前記ＰＩＤは、前記ＡＩＤとして使用される請求項２２に記載の関連付けられていないＳＴＡ。
【請求項２４】
第１の送信機会（ＴＸＯＰ）において、前記トリガ要素が、受信され、前記ＡＣＫが、受信され、前記第１のフレームが、送信され、第２のＴＸＯＰにおいて、前記第２のフレームが、受信される請求項２１に記載の関連付けられていないＳＴＡ。
【請求項２５】
前記トリガ要素は、ランダムアクセスまたは決定論的アクセスの１つまたは複数のために前記リソースを割り当てる請求項２１に記載の関連付けられていないＳＴＡ。
【請求項２６】
前記第１のフレームは、認証要求フレームであり、前記第２のフレームは、認証応答フレームである請求項２１に記載の関連付けられていないＳＴＡ。
【請求項２７】
前記第２のフレームは、ダウンリンクＭＵ物理レイヤ収束プロトコル（ＰＬＣＰ）プロトコルデータユニット（ＰＰＤＵ）のプリアンブル内の信号（ＳＩＧ）フィールド内に前記ＰＩＤを含む請求項２１に記載の関連付けられていないＳＴＡ。
【請求項２８】
前記ＡＣＫは、前記ＰＩＤを示す請求項２１に記載の関連付けられていないＳＴＡ。
【発明の詳細な説明】
【背景技術】
【０００１】
無線ローカルエリアネットワーク（ＷＬＡＮ）は、インフラストラクチャ基本サービスセット（ＢＳＳ）モード、および独立ＢＳＳ（ＩＢＳＳ）モードなど、複数の動作モードを有することができる。インフラストラクチャＢＳＳモードにあるＷＬＡＮは、ＢＳＳ用のアクセスポイント（ＡＰ）を有することができる。１つまたは複数の無線送受信ユニット（ＷＴＲＵ）、例えば、局（ＳＴＡ）は、ＡＰと関連付けることができる。ＡＰは、トラフィックをＢＳＳに搬送し、またＢＳＳから搬送する、ディストリビューションシステム（ＤＳ）または他のタイプの有線／無線ネットワークへのアクセスまたはインターフェースを有することができる。ＢＳＳ外部から発信されたＳＴＡへのトラフィックは、トラフィックをＳＴＡに配信することができるＡＰを通して到着することができる。あるＷＬＡＮシステムにおいては、ＳＴＡ対ＳＴＡ通信を行うことができる。あるＷＬＡＮシステムにおいては、ＡＰは、ＳＴＡの役割で行為することができる。ＷＬＡＮデバイスによってビームフォーミングを使用することができる。
【発明の概要】
【発明が解決しようとする課題】
【０００２】
現在のビームフォーミング技法は、制限的なことがある。
【課題を解決するための手段】
【０００３】
例えば、高効率ＷＬＡＮ用の、同時リンクセットアップおよびダウンリンクデータ取得のためのシステム、方法、および手段が、開示される。アクセスポイント（ＡＰ）は、トリガ要素を送信することができる。トリガ要素は、ＡＰとのプレアソシエーション送信のためのリソースを割り当てることができる。１つまたは複数の関連付けられていない局（ＳＴＡ）は、トリガ要素を受信ことができる。トリガ要素は、ランダムアクセスおよび／または決定論的アクセスのためのリソースを割り当てることができる。トリガ要素は、第１の送信機会（ＴＸＯＰ）において送信することができる。ＡＰは、１つまたは複数の関連付けられていないＳＴＡのうちの関連付けられていないＳＴＡから、トリガ要素において割り当てられた１つまたは複数のリソースユニット（ＲＵ）を介して、第１のフレームを受信することができる。第１のフレームは、認証要求フレームとすることができる。第１のフレームは、第１のＴＸＯＰにおいて受信することができる。ＡＰは、第１のフレームの受信に応答して、送達確認（ＡＣＫ）を送信することができる。ＡＣＫは、マルチＳＴＡ  ＡＣＫとすることができる。ＡＰは、関連付けられていないＳＴＡを識別するプレアソシエーション識別子（ＰＩＤ）を決定することができる。ＰＩＤは、関連付けられていないＳＴＡごとに、例えば、別々に、決定することができ、および／またはＡＰは、ＰＩＤを関連付けられていないＳＴＡに割り当てることができる。ＰＩＤは、アソシエーション識別子（ＡＩＤ）の一部を使用して、決定することができる。ＡＰは、例えば、ＰＩＤを関連付けられていないＳＴＡに割り当てるとき、例えば、トリガ要素またはマルチＳＴＡ  ＡＣＫに収めて、ＰＩＤを関連付けられていないＳＴＡに送信することができる。
【０００４】
ＡＰは、マルチユーザ（ＭＵ）送信と関連付けられた第２のフレームを送信することができる。第２のフレームは、ダウンリンク（ＤＬ）ＭＵ物理レイヤ収束手順（ＰＬＣＰ）プロトコルデータユニット（ＰＰＤＵ）の部分とすることができる。第２のフレームは、認証応答フレームとすることができ、ＰＩＤを含むことができる。第２のフレームは、信号（ＳＩＧ）フィールド内にＰＩＤを含むことができる。例えば、ＰＩＤは、ＤＬ  ＭＵ  ＰＰＤＵのプリアンブル（例えば、プリアンブルのＳＩＧフィールド）内に含むことができる。第２のフレームは、第１のＴＸＯＰの後に続く第２のＴＸＯＰにおいて送信することができる。ＡＰは、ＰＩＤを含むトリガフレームを送信することができる。トリガフレームは、関連付けられていないＳＴＡがＡＰとアソシエーションを行う前に、送信することができる。ＡＰは、例えば、トリガフレームに応答した、関連付けられていないＳＴＡから、アソシエーション要求フレームを受信することができる。ＡＰは、アソシエーション要求フレームに応答して、関連付けられていないＳＴＡのためのＡＩＤを示す、アソシエーション応答フレームを送信することができる。ＡＰは、ＡＩＤとしてＰＩＤを使用することを決定することができる。
【図面の簡単な説明】
【０００５】
【図１Ａ】例示的な無線ローカルエリアネットワーク（ＷＬＡＮ）デバイスを示す図である。
【図１Ｂ】１つまたは複数の開示される特徴を実施することができる、例示的な通信システムの図である。
【図１Ｃ】例示的な無線送受信ユニットＷＴＲＵを示す図である。
【図２】例示的なランダムトリガフレーム（ＴＦ−Ｒ）を示す図である。
【図３】例示的な請求されるトリガ目標ウェイクアップ時間（ＴＷＴ）を示す図である。
【図４】例示的なブロードキャストされるトリガＴＷＴを示す図である。
【図５】例示的なトリガフレームフォーマットを示す図である。
【図６】バッファステータスポーリング／報告情報を伴った例示的なＨＥ  Ａ制御フィールドを示す図である。
【図７】ランダムアクセスを用いた例示的なＰＳ−Ｐｏｌｌ送信を示す図である。
【図８】ランダムアクセスを用いた例示的なＣＦ−Ｐｏｌｌ送信を示す図である。
【図９】例示的なトリガ要素を示す図である。
【図１０】例示的なトリガフィールド設計を示す図である。
【図１１】ランダムアクセス用の例示的なトリガフィールド設計を示す図である。
【図１２】例示的なネットワーク発見およびリンクセットアップを示す図である。
【図１３】マルチユーザ（ＭＵ）送信を使用して実施される、例示的なネットワーク発見およびリンクセットアップを示す図である。
【図１４】プレアソシエーションＩＤ（ＰＩＤ）を伴ったマルチＳＴＡ  ＢＡのための例示的なフレームフォーマットを示す図である。
【図１５】例示的なトリガされたＰＳ−Ｐｏｌｌおよび／またはＤＬパケット取得を示す図である。
【発明を実施するための形態】
【０００６】
説明的な実施形態についての詳細な説明が、様々な図を参照して、今から行われる。この説明は、可能な実施についての詳細な例を提供するが、詳細は例示的であることが意図されており、本出願の範囲を限定することは決して意図されないことに留意されたい。
【０００７】
図１Ａは、例示的な無線ローカルエリアネットワーク（ＷＬＡＮ）デバイスを示している。デバイスのうちの１つまたは複数は、本明細書において説明される特徴のうちの１つまたは複数を実施するために使用することができる。ＷＬＡＮは、限定することなく、アクセスポイント（ＡＰ）１０２と、局（ＳＴＡ）１１０と、ＳＴＡ１１２とを含む。ＳＴＡ１１０、１１２は、ＡＰ１０２と関連付けることができる。ＷＬＡＮは、ＤＳＳＳ、ＯＦＤＭ、ＯＦＤＭＡなどのチャネルアクセス方式を含むことができる、ＩＥＥＥ８０２．１１通信規格の１つまたは複数のプロトコルを実施するように構成することができる。ＷＬＡＮは、例えば、インフラストラクチャモード、アドホックモードなどの、モードにおいて動作することができる。
【０００８】
インフラストラクチャモードにおいて動作するＷＬＡＮは、１つまたは複数の関連付けられたＳＴＡと通信する、１つまたは複数のＡＰを備えることができる。ＡＰと、ＡＰと関連付けられたＳＴＡは、基本サービスセット（ＢＳＳ）を構成することができる。例えば、ＡＰ１０２、ＳＴＡ１１０、およびＳＴＡ１１２は、ＢＳＳ１２２を構成することができる。拡張サービスセット（ＥＳＳ）は、（１つまたは複数のＢＳＳを伴った）１つまたは複数のＡＰと、ＡＰと関連付けられたＳＴＡとを備えることができる。ＡＰは、有線および／または無線とすることができ、トラフィックをＡＰに搬送し、および／またはＡＰから搬送することができる、ディストリビューションシステム（ＤＳ）１１６へのアクセスおよび／またはインターフェースを有することができる。ＷＬＡＮ外部から発信されたＷＬＡＮ内のＳＴＡへのトラフィックは、トラフィックをＷＬＡＮ内のＳＴＡに送信することができる、ＷＬＡＮ内のＡＰにおいて受信することができる。ＷＬＡＮ内のＳＴＡからＷＬＡＮ外部の送信先、例えば、サーバ１１８に発信されたトラフィックは、サーバ１１８に送信されるトラフィックを、例えば、ネットワーク１１４に向かうＤＳ１１６を介して、送信先に送信することができる、ＷＬＡＮ内のＡＰに送信することができる。ＷＬＡＮ内のＳＴＡ間のトラフィックは、１つまたは複数のＡＰを通して送信することができる。例えば、送信元ＳＴＡ（例えば、ＳＴＡ１１０）は、送信先ＳＴＡ（例えば、ＳＴＡ１１２）宛てのトラフィックを有することができる。ＳＴＡ１１０は、トラフィックをＡＰ１０２に送信することができ、ＡＰ１０２は、トラフィックをＳＴＡ１１２に送信することができる。
【０００９】
ＷＬＡＮは、アドホックモードにおいて動作することができる。アドホックモードＷＬＡＮは、独立基本サービスセット（ＩＢＳＳ）と呼ばれることがある。アドホックモードＷＬＡＮにおいては、ＳＴＡは、互いに直接的に通信することができ（例えば、ＳＴＡ１１０は、ＡＰを通して回送される通信を用いずに、ＳＴＡ１１２と通信することができる）。
【００１０】
ＩＥＥＥ８０２．１１デバイス（例えば、ＢＳＳ内のＩＥＥＥ８０２．１１  ＡＰ）は、ＷＬＡＮネットワークの存在を公表（announce：アナウンス）するために、ビーコンフレームを使用することができる。ＡＰ１０２などのＡＰは、チャネル上において、例えば、プライマリチャネルなどの、固定されたチャネル上において、ビーコンを送信することができる。ＳＴＡは、ＡＰと接続を確立するために、プライマリチャネルなどのチャネルを使用することができる。
【００１１】
ＳＴＡおよび／またはＡＰは、キャリアセンス多重アクセス／衝突回避（ＣＳＭＡ／ＣＡ）チャネルアクセスメカニズムを使用することができる。ＣＳＭＡ／ＣＡにおいては、ＳＴＡおよび／またはＡＰは、プライマリチャネルをセンスすることができる。例えば、ＳＴＡが、送信するデータを有する場合、ＳＴＡは、プライマリチャネルをセンスすることができる。プライマリチャネルがビジーであることが検出された場合、ＳＴＡは、バックオフすることができる。例えば、ＷＬＡＮまたはそれの部分は、例えば、与えられたＢＳＳ内においては、与えられた時刻に、１つのＳＴＡが送信することができるように構成することができる。チャネルアクセスは、ＲＴＳおよび／またはＣＴＳシグナリングを含むことができる。例えば、送信デバイスによって送信することができる送信要求（ＲＴＳ）フレームと、受信デバイスによって送信することができる送信可（ＣＴＳ）フレームの交換。例えば、ＡＰが、ＳＴＡに送信するデータを有する場合、ＡＰは、ＲＴＳフレームをＳＴＡに送信することができる。ＳＴＡが、データを受信する用意ができている場合、ＳＴＡは、ＣＴＳフレームを用いて応答することができる。ＣＴＳフレームは、ＲＴＳを開始したＡＰがそれのデータを送信することができる間、媒体にアクセスすることを控えるように他のＳＴＡに警告することができる時間値を含むことができる。ＣＴＳフレームをＳＴＡから受信すると、ＡＰは、データをＳＴＡに送信することができる。
【００１２】
デバイスは、ネットワーク割り当てベクトル（ＮＡＶ）フィールドを介して、スペクトルを予約することができる。例えば、ＩＥＥＥ８０２．１１フレームにおいては、ＮＡＶフィールドは、時間期間の間チャネルを予約するために使用することができる。データを送信したいＳＴＡは、その間それがチャネルを使用すると予想することができる時間になるように、ＮＡＶを設定することができる。ＳＴＡが、ＮＡＶを設定するとき、ＮＡＶは、関連付けられたＷＬＡＮまたはそれのサブセット（例えば、ＢＳＳ）に対して設定することができる。他のＳＴＡは、ＮＡＶをゼロまでカウントダウンすることができる。カウンタが、ゼロの値に達したとき、ＮＡＶ機能性は、チャネルが今は利用可能であることを、他のＳＴＡに示すことができる。
【００１３】
ＡＰまたはＳＴＡなどの、ＷＬＡＮ内のデバイスは、以下のうちの、すなわちプロセッサ、メモリ、（例えば、組み合わせて送受信機とすることができる）無線受信機および／または送信機、１つまたは複数のアンテナ（例えば、図１Ａにおけるアンテナ１０６）のうちの１つまたは複数を含むことができる。プロセッサ機能は、１つまたは複数のプロセッサを含むことができる。例えば、プロセッサは、汎用プロセッサ、専用プロセッサ（例えば、ベースバンドプロセッサ、ＭＡＣプロセッサなど）、デジタル信号プロセッサ（ＤＳＰ）、特定用途向け集積回路（ＡＳＩＣ）、フィールドプログラマブルゲートアレイ（ＦＰＧＡ）回路、他の任意のタイプの集積回路（ＩＣ）、および状態機械などのうちの１つまたは複数を含むことができる。１つまたは複数のプロセッサは、互いに統合されてよく、または統合されなくてよい。プロセッサ（例えば、１つもしくは複数のプロセッサ、またはそれのサブセット）は、１つまたは複数の他の機能（例えば、メモリなどの他の機能）と統合することができる。プロセッサは、信号符号化、データ処理、電力制御、入力／出力処理、変調、復調、および／またはデバイスが図１ＡのＷＬＡＮなどの無線環境内において動作することを可能にすることができる他の任意の機能を実行することができる。プロセッサは、例えば、ソフトウェアおよび／またはファームウェア命令を含む、プロセッサ実行可能コード（例えば、命令）を実行するように構成することができる。例えば、プロセッサは、プロセッサ（例えば、メモリおよびプロセッサを含むチップセット）またはメモリのうちの１つまたは複数の上に含まれるコンピュータ可読命令を実行するように構成することができる。命令の実行は、本明細書において説明される機能のうちの１つまたは複数をデバイスに実行させることができる。
【００１４】
デバイスは、１つまたは複数のアンテナを含むことができる。デバイスは、多入力多出力（ＭＩＭＯ）技法を利用することができる。１つまたは複数のアンテナは、無線信号を受信することができる。プロセッサは、例えば、１つまたは複数のアンテナを介して、無線信号を受信することができる。１つまたは複数のアンテナは、（例えば、プロセッサから送信された信号に基づいて）無線信号を送信することができる。
【００１５】
デバイスは、プロセッサ実行可能コードもしくは命令（例えば、ソフトウェア、ファームウェアなど）、電子データ、データベース、または他のデジタル情報など、プログラミングおよび／またはデータを記憶するための１つまたは複数のデバイスを含むことができる、メモリを有することができる。メモリは、１つまたは複数のメモリユニットを含むことができる。１つまたは複数のメモリユニットは、１つまたは複数の他の機能（例えば、プロセッサなど、デバイス内に含まれる他の機能）と統合することができる。メモリは、リードオンリメモリ（ＲＯＭ）（例えば、消去可能プログラマブルリードオンリメモリ（ＥＰＲＯＭ）、電気的消去可能プログラマブルリードオンリメモリ（ＥＥＰＲＯＭ）など）、ランダムアクセスメモリ（ＲＡＭ）、磁気ディスク記憶媒体、光記憶媒体、フラッシュメモリデバイス、および／または情報を記憶するための他の非一時的コンピュータ可読媒体を含むことができる。メモリは、プロセッサに結合することができる。プロセッサは、例えば、システムバスを介した通信、直接的な通信などで、メモリの１つまたは複数のエンティティと通信することができる。
【００１６】
図１Ｂは、１つまたは複数の開示される実施形態を実施することができる、例示的な通信システム１００の図である。例えば、無線ネットワーク（例えば、通信システム１００の１つまたは複数の構成要素を備える無線ネットワーク）は、無線ネットワークを越えて（例えば、無線ネットワークと関連付けられたウォールドガーデンを越えて）延びるベアラにＱｏＳ特性を割り当てることができるように構成することができる。
【００１７】
通信システム１００は、音声、データ、ビデオ、メッセージング、放送などのコンテンツを複数の無線ユーザに提供する、多元接続システムとすることができる。通信システム１００は、複数の無線ユーザが、無線帯域幅を含むシステムリソースの共用を通して、そのようなコンテンツにアクセスすることを可能することができる。例えば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、およびシングルキャリアＦＤＭＡ（ＳＣ−ＦＤＭＡ）など、１つまたは複数のチャネルアクセス方法を利用することができる。
【００１８】
図１Ｂに示されるように、通信システム１００は、複数の無線送受信ユニット（ＷＴＲＵ）、例えば、ＷＴＲＵ１０２ａ、１０２ｂ、１０２ｃ、１０２ｄなど、少なくとも１つのＷＴＲＵ、無線アクセスネットワーク（ＲＡＮ）１０４、コアネットワーク１０６、公衆交換電話網（ＰＳＴＮ）１０８、インターネット１１０、および他のネットワーク１１２を含むことができるが、開示される実施形態は、任意の数のＷＴＲＵ、基地局、ネットワーク、および／またはネットワーク要素を企図していることが理解されるべきである。ＷＴＲＵ１０２ａ、１０２ｂ、１０２ｃ、１０２ｄの各々は、無線環境において動作および／または通信するように構成された、任意のタイプのデバイスとすることができる。例として、ＷＴＲＵ１０２ａ、１０２ｂ、１０２ｃ、１０２ｄは、無線信号を送信および／または受信するように構成することができ、ユーザ機器（ＵＥ）、移動局（例えば、ＷＬＡＮ  ＳＴＡ）、固定または移動加入者ユニット、ページャ、セルラ電話、パーソナルデジタルアシスタント（ＰＤＡ）、スマートフォン、ラップトップ、ネットブック、パーソナルコンピュータ、無線センサ、および家電製品などを含むことができる。
【００１９】
通信システム１００は、基地局１１４ａおよび基地局１１４ｂも含むことができる。基地局１１４ａ、１１４ｂの各々は、コアネットワーク１０６、インターネット１１０、および／またはネットワーク１１２などの１つまたは複数の通信ネットワークへのアクセスを容易にするために、ＷＴＲＵ１０２ａ、１０２ｂ、１０２ｃ、１０２ｄのうちの少なくとも１つと無線でインターフェース接続するように構成された、任意のタイプのデバイスとすることができる。例として、基地局１１４ａ、１１４ｂは、基地送受信機局（ＢＴＳ）、ノードＢ、ｅノードＢ、ホームノードＢ、ホームｅノードＢ、サイトコントローラ、アクセスポイント（ＡＰ）、および無線ルータなどとすることができる。基地局１１４ａ、１１４ｂは、各々が、単一の要素として示されているが、基地局１１４ａ、１１４ｂは、任意の数の相互接続された基地局および／またはネットワーク要素を含むことができることが理解されるべきである。
【００２０】
基地局１１４ａは、ＲＡＮ１０４の部分とすることができ、ＲＡＮ１０４は、他の基地局、および／または基地局コントローラ（ＢＳＣ）、無線ネットワークコントローラ（ＲＮＣ）、中継ノードなどのネットワーク要素（図示されず）も含むことができる。基地局１１４ａおよび／または基地局１１４ｂは、セル（図示されず）と呼ばれることがある、特定の地理的領域内において無線信号を送信および／または受信するように構成することができる。セルは、さらにセルセクタに分割することができる。例えば、基地局１１４ａに関連付けられたセルは、３つのセクタに分割することができる。したがって、一実施形態においては、基地局１１４ａは、送受信機を３つ、すなわち、セルのセクタごとに１つ含むことができる。別の実施形態においては、基地局１１４ａは、多入力多出力（ＭＩＭＯ）技術を利用することができ、したがって、セルのセクタごとに複数の送受信機を利用することができる。
【００２１】
基地局１１４ａ、１１４ｂは、エアインターフェース１１６上において、ＷＴＲＵ１０２ａ、１０２ｂ、１０２ｃ、１０２ｄのうちの１つまたは複数と通信することができ、エアインターフェース１１６は、任意の適切な無線通信リンク（例えば、無線周波（ＲＦ）、マイクロ波、赤外線（ＩＲ）、紫外線（ＵＶ）、可視光など）とすることができる。エアインターフェース１１６は、任意の適切な無線アクセス技術（ＲＡＴ）を使用して確立することができる。
【００２２】
より具体的には、上で言及されたように、通信システム１００は、多元接続システムとすることができ、ＣＤＭＡ、ＴＤＭＡ、ＦＤＭＡ、ＯＦＤＭＡ、およびＳＣ−ＦＤＭＡなどの、１つまたは複数のチャネルアクセス方式を利用することができる。例えば、ＲＡＮ１０４内の基地局１１４ａ、およびＷＴＲＵ１０２ａ、１０２ｂ、１０２ｃは、広帯域ＣＤＭＡ（ＷＣＤＭＡ）を使用してエアインターフェース１１６を確立することができる、ユニバーサル移動体通信システム（ＵＭＴＳ）地上無線アクセス（ＵＴＲＡ）などの無線技術を実施することができる。ＷＣＤＭＡは、高速パケットアクセス（ＨＳＰＡ）および／または進化型ＨＳＰＡ（ＨＳＰＡ＋）などの通信プロトコルを含むことができる。ＨＳＰＡは、高速ダウンリンクパケットアクセス（ＨＳＤＰＡ）および／または高速アップリンクパケットアクセス（ＨＳＵＰＡ）を含むことができる。
【００２３】
別の実施形態においては、基地局１１４ａ、およびＷＴＲＵ１０２ａ、１０２ｂ、１０２ｃは、ロングタームエボリューション（ＬＴＥ）および／またはＬＴＥアドバンスト（ＬＴＥ−Ａ）を使用してエアインターフェース１１６を確立することができる、進化型ＵＭＴＳ地上無線アクセス（Ｅ−ＵＴＲＡ）などの無線技術を実施することができる。
【００２４】
他の実施形態においては、基地局１１４ａ、およびＷＴＲＵ１０２ａ、１０２ｂ、１０２ｃは、ＩＥＥＥ８０２．１６（すなわち、マイクロ波アクセス用の世界的相互運用性（ＷｉＭＡＸ））、ＣＤＭＡ２０００、ＣＤＭＡ２０００  １Ｘ、ＣＤＭＡ２０００  ＥＶ−ＤＯ、暫定標準２０００（ＩＳ−２０００）、暫定標準９５（ＩＳ−９５）、暫定標準８５６（ＩＳ−８５６）、移動体通信用グローバルシステム（ＧＳＭ）、ＧＳＭエボリューション用の高速データレート（ＥＤＧＥ）、およびＧＳＭ  ＥＤＧＥ（ＧＥＲＡＮ）などの無線技術を実施することができる。
【００２５】
図１Ｂの基地局１１４ｂは、例えば、無線ルータ、ホームノードＢ、ホームｅノードＢ、またはアクセスポイントとすることができ、職場、家庭、乗物、およびキャンパスなどの局所的エリアにおける無線接続性を容易にするために、任意の適切なＲＡＴを利用することができる。一実施形態においては、基地局１１４ｂ、およびＷＴＲＵ１０２ｃ、１０２ｄは、ＩＥＥＥ８０２．１１などの無線技術を実施して、無線ローカルエリアネットワーク（ＷＬＡＮ）を確立することができる。別の実施形態においては、基地局１１４ｂ、およびＷＴＲＵ１０２ｃ、１０２ｄは、ＩＥＥＥ８０２．１５などの無線技術を実施して、無線パーソナルエリアネットワーク（ＷＰＡＮ）を確立することができる。また別の実施形態においては、基地局１１４ｂ、およびＷＴＲＵ１０２ｃ、１０２ｄは、セルラベースのＲＡＴ（例えば、ＷＣＤＭＡ、ＣＤＭＡ２０００、ＧＳＭ、ＬＴＥ、ＬＴＥ−Ａなど）を利用して、ピコセルまたはフェムトセルを確立することができる。図１Ｂに示されるように、基地局１１４ｂは、インターネット１１０への直接的な接続を有することがある。したがって、基地局１１４ｂは、コアネットワーク１０６を介してインターネット１１０にアクセスする必要がないことがある。
【００２６】
ＲＡＮ１０４は、コアネットワーク１０６と通信することができ、コアネットワーク１０６は、音声、データ、アプリケーション、および／またはボイスオーバインターネットプロトコル（ＶｏＩＰ）サービスをＷＴＲＵ１０２ａ、１０２ｂ、１０２ｃ、１０２ｄのうちの１つまたは複数に提供するように構成された、任意のタイプのネットワークとすることができる。例えば、コアネットワーク１０６は、呼制御、請求サービス、モバイルロケーションベースのサービス、プリペイド通話、インターネット接続性、ビデオ配信などを提供することができ、および／またはユーザ認証など、高レベルのセキュリティ機能を実行することができる。図１Ｂには示されていないが、ＲＡＮ１０４および／またはコアネットワーク１０６は、ＲＡＮ１０４と同じＲＡＴまたは異なるＲＡＴを利用する他のＲＡＮと直接的または間接的に通信することができることが理解されるべきである。例えば、Ｅ−ＵＴＲＡ無線技術を利用することができるＲＡＮ１０４に接続されるのに加えて、コアネットワーク１０６は、ＧＳＭ無線技術を利用する別のＲＡＮ（図示されず）とも通信することができる。
【００２７】
コアネットワーク１０６は、ＷＴＲＵ１０２ａ、１０２ｂ、１０２ｃ、１０２ｄが、ＰＳＴＮ１０８、インターネット１１０、および／または他のネットワーク１１２にアクセスするためのゲートウェイとしての役割も果たすことができる。ＰＳＴＮ１０８は、基本電話サービス（ＰＯＴＳ）を提供する回線交換電話網を含むことができる。インターネット１１０は、ＴＣＰ／ＩＰインターネットプロトコルスイート内の伝送制御プロトコル（ＴＣＰ）、ユーザデータグラムプロトコル（ＵＤＰ）、およびインターネットプロトコル（ＩＰ）など、共通の通信プロトコルを使用する、相互接続されたコンピュータネットワークおよびデバイスからなるグローバルシステムを含むことができる。ネットワーク１１２は、他のサービスプロバイダによって所有および／または運営される有線または無線通信ネットワークを含むことができる。例えば、ネットワーク１１２は、ＲＡＮ１０４と同じＲＡＴまたは異なるＲＡＴを利用することができる１つまたは複数のＲＡＮに接続された、別のコアネットワークを含むことができる。
【００２８】
通信システム１００内のＷＴＲＵ１０２ａ、１０２ｂ、１０２ｃ、１０２ｄのいくつかまたはすべては、マルチモード機能を含むことができ、すなわち、ＷＴＲＵ１０２ａ、１０２ｂ、１０２ｃ、１０２ｄは、異なる無線リンク上で異なる無線ネットワークと通信するための複数の送受信機を含むことができる。例えば、図１Ｂに示されるＷＴＲＵ１０２ｃは、セルラベースの無線技術を利用することができる基地局１１４ａと通信するように、またＩＥＥＥ８０２無線技術を利用することができる基地局１１４ｂと通信するように構成することができる。
【００２９】
図１Ｃは、例示的な無線送受信ユニットＷＴＲＵ１０２を示している。ＷＴＲＵは、ユーザ機器（ＵＥ）、移動局、ＷＬＡＮ  ＳＴＡ、固定または移動加入者ユニット、ページャ、セルラ電話、パーソナルデジタルアシスタント（ＰＤＡ）、スマートフォン、ラップトップ、ネットブック、パーソナルコンピュータ、無線センサ、および家電製品などとすることができる。ＷＴＲＵ１０２は、上で説明された通信システムのうちの１つまたは複数において使用することができる。図１Ｃに示されるように、ＷＴＲＵ１０２は、プロセッサ１１８と、送受信機１２０と、送信／受信要素１２２と、スピーカ／マイクロフォン１２４と、キーパッド１２６と、ディスプレイ／タッチパッド１２８と、非リムーバブルメモリ１３０と、リムーバブルメモリ１３２と、電源１３４と、全地球測位システム（ＧＰＳ）チップセット１３６と、他の周辺機器１３８とを含むことができる。ＷＴＲＵ１０２は、実施形態との整合性を保ちながら、上記の要素の任意のサブコンビネーションを含むことができることが理解されるべきである。
【００３０】
プロセッサ１１８は、汎用プロセッサ、専用プロセッサ、従来型プロセッサ、デジタル信号プロセッサ（ＤＳＰ）、複数のマイクロプロセッサ、ＤＳＰコアと連携する１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、他の任意のタイプの集積回路（ＩＣ）、および状態機械などとすることができる。プロセッサ１１８は、信号符号化、データ処理、電力制御、入力／出力処理、および／またはＷＴＲＵ１０２が無線環境において動作することを可能にする他の任意の機能性を実行することができる。プロセッサ１１８は、送受信機１２０に結合することができ、送受信機１２０は、送信／受信要素１２２に結合することができる。図１Ｃは、プロセッサ１１８と送受信機１２０を別個の構成要素として示しているが、プロセッサ１１８と送受信機１２０は、電子パッケージまたはチップ内に一緒に統合することができることが理解されるべきである。
【００３１】
送信／受信要素１２２は、エアインターフェース１１６上において、基地局（例えば、基地局１１４ａ）に信号を送信し、または基地局から信号を受信するように構成することができる。例えば、一実施形態においては、送信／受信要素１２２は、ＲＦ信号を送信および／または受信するように構成されたアンテナとすることができる。別の実施形態においては、送信／受信要素１２２は、例えば、ＩＲ、ＵＶ、または可視光信号を送信および／または受信するように構成された放射器／検出器とすることができる。また別の実施形態においては、送信／受信要素１２２は、ＲＦ信号および光信号の両方を送信および受信するように構成することができる。送信／受信要素１２２は、無線信号の任意の組み合わせを送信および／または受信するように構成することができることが理解されるべきである。
【００３２】
加えて、図１Ｃにおいては、送信／受信要素１２２は単一の要素として示されているが、ＷＴＲＵ１０２は、任意の数の送信／受信要素１２２を含むことができる。より具体的には、ＷＴＲＵ１０２は、ＭＩＭＯ技術を利用することができる。したがって、一実施形態においては、ＷＴＲＵ１０２は、エアインターフェース１１６上において無線信号を送信および受信するための２つ以上の送信／受信要素１２２（例えば、複数のアンテナ）を含むことができる。
【００３３】
送受信機１２０は、送信／受信要素１２２によって送信されることになる信号を変調し、送信／受信要素１２２によって受信された信号を復調するように構成することができる。上で言及されたように、ＷＴＲＵ１０２は、マルチモード機能を有することができる。したがって、送受信機１２０は、ＷＴＲＵ１０２が、例えば、ＵＴＲＡおよびＩＥＥＥ８０２．１１など、複数のＲＡＴを介して通信することを可能にするための、複数の送受信機を含むことができる。
【００３４】
ＷＴＲＵ１０２のプロセッサ１１８は、スピーカ／マイクロフォン１２４、キーパッド１２６、および／またはディスプレイ／タッチパッド１２８（例えば、液晶表示（ＬＣＤ）ディスプレイユニットもしくは有機発光ダイオード（ＯＬＥＤ）ディスプレイユニット）に結合することができ、それらからユーザ入力データを受信することができる。プロセッサ１１８は、スピーカ／マイクロフォン１２４、キーパッド１２６、および／またはディスプレイ／タッチパッド１２８にユーザデータを出力することもできる。加えて、プロセッサ１１８は、非リムーバブルメモリ１３０および／またはリムーバブルメモリ１３２など、任意のタイプの適切なメモリから情報を入手することができ、それらにデータを記憶することができる。非リムーバブルメモリ１３０は、ランダムアクセスメモリ（ＲＡＭ）、リードオンリメモリ（ＲＯＭ）、ハードディスク、または他の任意のタイプのメモリ記憶デバイスを含むことができる。リムーバブルメモリ１３２は、加入者識別モジュール（ＳＩＭ）カード、メモリスティック、およびセキュアデジタル（ＳＤ）メモリカードなどを含むことができる。他の実施形態においては、プロセッサ１１８は、サーバまたはホームコンピュータ（図示されず）上などに配置された、ＷＴＲＵ１０２上に物理的に配置されていないメモリから情報を入手することができ、それらにデータを記憶することができる。
【００３５】
プロセッサ１１８は、電源１３４から電力を受け取ることができ、ＷＴＲＵ１０２内の他の構成要素への電力の分配および／または制御を行うように構成することができる。電源１３４は、ＷＴＲＵ１０２に給電するための任意の適切なデバイスとすることができる。例えば、電源１３４は、１つまたは複数の乾電池（例えば、ニッケル−カドミウム（ＮｉＣｄ）、ニッケル−亜鉛（ＮｉＺｎ）、ニッケル水素（ＮｉＭＨ）、リチウムイオン（Ｌｉ−ｉｏｎ）など）、太陽電池、および燃料電池などを含むことができる。
【００３６】
プロセッサ１１８は、ＧＰＳチップセット１３６に結合することもでき、ＧＰＳチップセット１３６は、ＷＴＲＵ１０２の現在ロケーションに関するロケーション情報（例えば、経度および緯度）を提供するように構成することができる。ＧＰＳチップセット１３６からの情報に加えて、またはその代わりに、ＷＴＲＵ１０２は、基地局（例えば、基地局１１４ａ、１１４ｂ）からエアインターフェース１１６上においてロケーション情報を受信することができ、および／または２つ以上の近くの基地局から受信している信号のタイミングに基づいて、自らのロケーションを決定することができる。ＷＴＲＵ１０２は、実施形態との整合性を保ちながら、任意の適切なロケーション決定実施を用いて、ロケーション情報を獲得することができることが理解されるべきである。
【００３７】
プロセッサ１１８は、他の周辺機器１３８にさらに結合することができ、他の周辺機器１３８は、追加的な特徴、機能性、および／または有線もしくは無線接続性を提供する、１つまたは複数のソフトウェアモジュールおよび／またはハードウェアモジュールを含むことができる。例えば、周辺機器１３８は、加速度計、ｅコンパス、衛星送受信機、（写真またはビデオ用の）デジタルカメラ、ユニバーサルシリアルバス（ＵＳＢ）ポート、バイブレーションデバイス、テレビ送受信機、ハンズフリーヘッドセット、Ｂｌｕｅｔｏｏｔｈ（登録商標）モジュール、周波数変調（ＦＭ）ラジオユニット、デジタル音楽プレーヤ、メディアプレーヤ、ビデオゲームプレーヤモジュール、およびインターネットブラウザなどを含むことができる。無線ローカルエリアネットワーク（ＷＬＡＮ）は、インフラストラクチャ基本サービスセット（ＢＳＳ）モード、および独立ＢＳＳ（ＩＢＳＳ）モードなど、複数の動作モードを有することができる。インフラストラクチャＢＳＳモードにあるＷＬＡＮは、ＢＳＳ用のアクセスポイント（ＡＰ）を有することができる。１つまたは複数の局（ＳＴＡ）は、ＡＰと関連付けることができる。ＡＰは、トラフィックをＢＳＳに搬送し、またＢＳＳから搬送する、ディストリビューションシステム（ＤＳ）または他のタイプの有線／無線ネットワークへのアクセスまたはインターフェースを有することができる。ＢＳＳ外部から発信されたＳＴＡへのトラフィックは、トラフィックをＳＴＡに配信することができるＡＰを通して到着することができる。ＳＴＡからＢＳＳ外部の送信先に発信されたトラフィックは、トラフィックをそれぞれの送信先に配信することができるＡＰに送信することができる。ＢＳＳ内のＳＴＡ間のトラフィックは、ＡＰを通して送信することができ、例えば、送信元ＳＴＡからＡＰに、ＡＰから送信先ＳＴＡに送信することができる。ＢＳＳ内のＳＴＡ間のトラフィックは、ピアツーピアトラフィックとすることができる。ピアツーピアトラフィックは、例えば、８０２．１１ｅ  ＤＬＳまたは８０２．１１ｚトンネルドＤＬＳ（ＴＤＬＳ）を使用する直接リンクセットアップ（ＤＬＳ）を用いて、送信元ＳＴＡと送信先ＳＴＡとの間で直接的に送信することができる。独立ＢＳＳ（ＩＢＳＳ）モードにあるＷＬＡＮは、ＡＰを有さなくてよく、ＳＴＡは、互いに直接的に通信することができる。ＩＢＳＳモードの通信は、「アドホック」モードの通信を呼ばれることがある。
【００３８】
ＡＰは、例えば、８０２．１１ａｃインフラストラクチャ動作モードにおいて、固定されたチャネル（例えば、プライマリチャネル）上において、ビーコンを送信することができる。チャネルは、例えば、２０ＭＨｚ幅とすることができる。チャネルは、ＢＳＳの動作チャネルとすることができる。チャネルは、例えば、ＡＰとの接続を確立するために、ＳＴＡによって使用することができる。８０２．１１システムにおけるチャネルアクセスメカニズムは、キャリアセンス多重アクセス／衝突回避（ＣＳＭＡ／ＣＡ）である。ＡＰを含むＳＴＡは、例えば、ＣＳＭＡ／ＣＡ動作モードにおいて、プライマリチャネルをセンスすることができる。例えば、チャネルがビジーであることが検出されたときは、与えられたＢＳＳ内においては、ある時刻に、ただ１つのＳＴＡが送信することができるように、ＳＴＡは、バックオフすることができる。
【００３９】
高スループット（ＨＴ）ＳＴＡは、例えば、８０２．１１ｎでの通信のために、例えば、４０ＭＨｚ幅のチャネルを使用することができる。プライマリ２０ＭＨｚチャネルは、隣接する２０ＭＨｚチャネルと組み合わされて、４０ＭＨｚ幅の連続チャネルを形成することができる。
【００４０】
超高スループット（ＶＨＴ）ＳＴＡは、例えば、８０２．１１ａｃでは、例えば、２０ＭＨｚ、４０ＭＨｚ、８０ＭＨｚ、および１６０ＭＨｚ幅のチャネルをサポートすることができる。４０ＭＨｚおよび８０ＭＨｚチャネルは、例えば、連続する２０ＭＨｚチャネルを組み合わせることによって、形成することができる。１６０ＭＨｚチャネルは、例えば、８つの連続する２０ＭＨｚチャネルを組み合わせることによって、または２つの非連続な８０ＭＨｚチャネルを組み合わせることによって、形成することができ、後者は、８０＋８０構成と呼ばれることがある。８０＋８０構成は、例えば、チャネルエンコーディングの後、データを２つのストリームに分割するセグメントパーサを通過させることができる。逆高速フーリエ変換（ＩＦＦＴ）および時間領域処理は、例えば、各ストリームに対して別々に、実行することができる。ストリームは、２つのチャネル上にマッピングすることができる。データは、２つのチャネル上において送信することができる。受信機は、送信機メカニズムを逆転することができる。受信機は、複数のチャネル上において送信されたデータを再び組み合わせることができる。再び組み合わされたデータは、媒体アクセス制御（ＭＡＣ）に送ることができる。
【００４１】
ＧＨｚ未満（例えば、ＭＨｚ）動作モードは、例えば、８０２．１１ａｆおよび８０２．１１ａｈによって、サポートすることができる。チャネル動作帯域幅およびキャリアは、例えば、８０２．１１ｎおよび８０２．１１ａｃにおいて使用される帯域幅およびキャリアと比べて、削減することができる。８０２．１１ａｆは、ＴＶホワイトスペース（ＴＶＷＳ）スペクトルにおいて、例えば、５ＭＨｚ、１０ＭＨｚ、および２０ＭＨｚ帯域幅をサポートすることができ、８０２．１１ａｈは、非ＴＶＷＳスペクトルにおいて、例えば、１ＭＨｚ、２ＭＨｚ、４ＭＨｚ、８ＭＨｚ、および１６ＭＨｚ帯域幅をサポートすることができる。８０２．１１ａｈについての使用事例の例は、マクロカバレージエリアにおけるメータタイプ制御（ＭＴＣ）デバイスのサポートとすることができる。ＭＴＣデバイスは、限られた能力（例えば、限られた帯域幅）を有することができ、非常に長いバッテリ寿命を有するように設計することができる。
【００４２】
ＷＬＡＮシステム（例えば、８０２．１１ｎ、８０２．１１ａｃ、８０２．１１ａｆ、および８０２．１１ａｈシステム）は、プライマリチャネルとして指定されたチャネルなど、複数のチャネルおよびチャネル幅をサポートすることができる。プライマリチャネルは、例えば、ＢＳＳ内のＳＴＡによってサポートされる最大の共通動作帯域幅に等しい帯域幅を有することができる。プライマリチャネルの帯域幅は、最小の帯域幅動作モードをサポートするＳＴＡによって、制限されることがある。８０２．１１ａｈの例においては、例えば、１ＭＨｚモードをサポートする１つまたは複数のＳＴＡ（例えば、ＭＴＣタイプデバイス）が存在し、一方で、ＡＰおよび他のＳＴＡが、２ＭＨｚ、４ＭＨｚ、８ＭＨｚ、１６ＭＨｚ、または他のチャネル帯域幅の動作モードをサポートするとき、プライマリチャネルは、１ＭＨｚ幅とすることができる。キャリアセンシングおよびＮＡＶ設定は、プライマリチャネルのステータスに依存することができる。例として、１ＭＨｚ動作モードをサポートするＳＴＡが、プライマリチャネル上においてＡＰに送信を行っているせいで、プライマリチャネルがビジーステータスを有するとき、すべての利用可能な周波数バンドは、利用可能であるにもかかわらず、ビジーであると見なされ、アイドルであり続けることがある。
【００４３】
利用可能な周波数バンドは、異なる地域間で様々であることができる。例として、米国においては、８０２．１１ａｈによって使用される利用可能な周波数バンドは、米国においては、９０２ＭＨｚから９２８ＭＨｚとすることができ、韓国においては、９１７．５ＭＨｚから９２３．５ＭＨｚとすることができ、日本においては、９１６．５ＭＨｚから９２７．５ＭＨｚとすることができる。利用可能な総周波数バンドは、異なる地域間で様々であることができる。例として、８０２．１１ａｈについての利用可能な総帯域幅は、国コードに応じて、６ＭＨｚから２６ＭＨｚであることができる。
【００４４】
ＨＥと呼ばれることがある、ＩＥＥＥ８０２．１１（商標）高効率ＷＬＡＮ（ＨＥＷ）は、２．４ＧＨｚおよび５ＧＨｚバンドにおけるＡＰおよびＳＴＡの高密度配備など、多くの使用シナリオにおいて、無線ユーザによって経験されるサービス品質（ＱｏＳ）を強化することができる。ＨＥＷ無線リソース管理（ＲＲＭ）技術は、スタジアムイベント用のデータ配信、鉄道駅または企業／店舗環境などの高ユーザ密度シナリオ、医療用途用のビデオ配信および無線サービスなど、様々な用途または使用シナリオをサポートすることができる。ＨＥＷは、例えば、ＩＥＥＥ８０２．１１ａｘにおいて、実施することができる。
【００４５】
ネットワークアプリケーションによって生成することができるショートパケットは、仮想オフィス、ＴＰＣ送達確認（ＡＣＫ）、ビデオストリーミングＡＣＫ、デバイス／コントローラ（例えば、マウス、キーボード、ゲームコントロール）、アクセス（例えば、プローブ要求／応答）、ネットワーク選択（例えば、プローブ要求、アクセスネットワーククエリプロトコル（ＡＮＱＰ））、およびネットワーク管理（例えば、制御フレーム）など、様々な用途において適用可能であることができる。
【００４６】
アップリンク（ＵＬ）およびダウンリンク（ＤＬ）直交周波数分割多元接続（ＯＦＤＭＡ）、ならびにＵＬおよびＤＬ  ＭＵ−ＭＩＭＯなどの、ＭＵ機能を、８０２．１１ａｘにおいて実施することができる。ＯＦＤＭＡは、チャネル選択を利用して、例えば、密なネットワーク状況において、周波数選択性多重化ゲインを改善または最大化することができる。例えば、高速リンク適合、周波数選択性スケジューリング、およびリソースユニットベースのフィードバックを可能にするために、フィードバックのためのメカニズムを設計および定義することができる。
【００４７】
８０２．１１においては、キャリアセンス多重アクセス／衝突回避（ＣＳＭＡ／ＣＡ）を、（例えば、チャネルアクセス方式として）利用することができる。ＣＳＭＡ／ＣＡにおいては、ある時刻には、１つ（例えば、ただ１つ）のＳＴＡが、媒体にアクセスすることができる。８０２．１１におけるＣＳＭＡ／ＣＡは、マルチユーザ（ＭＵ）同時ランダムアクセスをサポートすることができない。
【００４８】
（例えば、８０２．１１ａｘにおいては）トリガフレームを提供することができる。トリガフレームは、ＡＰによって送信することができる。トリガフレームは、次回の同時ＵＬ  ＭＵ送信を同期させ、および／またはスケジュールすることができる。ＡＰによって送信されたトリガフレームに対する応答（例えば、即時応答）として、ＵＬ  ＭＵ物理レイヤ収束プロトコル（ＰＬＣＰ）プロトコルデータユニット（ＰＰＤＵ）（例えば、ＭＵ−ＭＩＭＯまたはＯＦＤＭＡ）を送信することができる。
【００４９】
ランダムアクセスのサポートは、ＯＦＤＭＡを使用して、トリガフレームによって開始することができる。トリガフレームは、ランダムアクセス用のリソースを割り当てることができる。ランダムアクセスのために、ランダムトリガフレーム（ＴＦ−Ｒ）を使用することができる。ＴＦ−Ｒは、２つ以上のＳＴＡによって同時にランダムアクセスすることができるリソースユニット（ＲＵ）の少なくとも１つの割り当てを示すことができる。
【００５０】
図２は、例示的なＴＦ−Ｒ２００を示す図である。例えば、ＴＦ−Ｒ２００は、複数のＲＵ２０２を含むことができる。図２に示されるように、第１のＳＴＡは、複数のＲＵ２０２のうちの第１のＲＵ２０２Ａを選択することができ、第２のＳＴＡは、複数のＲＵ２０２のうちの第２のＲＵ２０２Ｃを選択することができる。第３のＲＵ２０２Ｂ（例えば、ＲＵ２）、第４のＲＵ２０２Ｄ（例えば、ＲＵ４）、および／または第５のＲＵ２０２Ｅ（例えば、ＲＵ５）は、選択されなくてよく、および／または割り当てられなくてよい。ランダムアクセスは、スロッテドアロハに類似することができる。
【００５１】
スケジュールされたトリガフレームのためのメカニズムを提供することができる。スケジュールされたトリガフレームのメカニズムは、請求されるトリガ目標ウェイクアップ時間（ＴＷＴ）、および／またはブロードキャストされるトリガＴＷＴを含むことができる。トリガフレームメカニズムは、示されたトリガフレームについての目標送信時間を含むことができる。トリガフレームについての目標送信時間は、暗黙的なＴＷＴ動作に基づくことができる。ブロードキャストされるトリガＴＷＴは、ビーコンフレーム内にＴＷＴ要素を含むことによって、可能にすることができる。例えば、ＡＰは、ビーコンフレーム内のＴＷＴ応答において、１つまたは複数の目標トリガ時間を示すことができる。ＴＷＴパターンは、ビーコンフレームの後に続くビーコン間隔の間有効（例えば、その間だけ有効）とすることができる。ＡＰは、ＴＷＴセットアップ中に、１つまたは複数のブロードキャストされるトリガＴＷＴを示すことができる。請求されるトリガＴＷＴは、暗黙的なＴＷＴネゴシエーションを使用することによって、可能にすることができる。例えば、ＳＴＡは、ＡＰが１つまたは複数のトリガフレームをスケジュールすることを要求することができる。ＳＴＡは、ＴＷＴ要求を介して、ＡＰが１つまたは複数のトリガフレームをスケジュールすることを要求することができる。ＴＷＴパターンは、ＵＬトラフィックパターン、および／またはサービス品質（ＱｏＳ）要件に基づいて、決定することができる。ＴＷＴパターンは、定期的とすることができる。ＡＰは、要求に応答することができる。応答は、ＴＷＴ要求を確認することができる。応答は、１つまたは複数の代替ＴＷＴスケジュールを提供することができる。１つまたは複数の代替ＴＷＴスケジュールは、複数のＳＴＡからの情報に基づいて、決定することができる。類似のトラフィックパターンを有する２つ以上のＳＴＡは、（例えば、類似のＴＷＴサービス期間および／または他の類似のパラメータを有する）類似のＴＷＴに割り当てることができる。
【００５２】
ブロードキャストされるトリガＴＷＴが可能にされるケースにおいては、ＳＴＡとＡＰは、ＴＷＴ要求とＴＷＴ応答とを交換して、ＰＳ  ＳＴＡによって監視される目標ビーコンフレームを示すことができる。
【００５３】
図３は、例示的な請求されるトリガＴＷＴ３００を示す図である。請求されるトリガＴＷＴ３００は、トリガＴＷＴセットアップ３０２を含むことができる。トリガＴＷＴセットアップ３０２は、ネゴシエートすることができる。高効率（ＨＥ）非ＡＰ  ＳＴＡは、トリガフレームのスケジューリングを要求することができる。ＨＥ非ＡＰ  ＳＴＡは、各ＴＷＴの開始時に、トリガフレームのスケジューリングを要求することができる。ＡＰは、各ＴＷＴの開始時に、トリガフレームのスケジューリングを確認することができる。ＡＰは、各ＴＷＴサービス期間（ＳＰ）３０６の開始時に、トリガフレーム３０４をスケジュールすることができる。１つまたは複数の非ＡＰ  ＳＴＡは、ＴＷＴにおいてウェイクアップすることができる。１つまたは複数の非ＡＰ  ＳＴＡは、ＭＵ  ＤＬ／ＵＬ交換を準備することができる。１つまたは複数の非ＡＰ  ＳＴＡは、ＡＰによって送信されるトリガフレーム３０４を待つことができる。ＴＷＴ  ＳＰ３０６中に、１つまたは複数の非ＡＰ  ＳＴＡは、（例えば、トリガフレーム３０４を受信すると）省電力（ＰＳ）ポーリング、自動省電力配信（ＡＰＳＤ）トリガフレーム、および／またはＵＬ／ＤＬバッファ可能ユニット（ＢＵ）などを交換することができる。ＳＴＡは、（例えば、ＴＷＴがネゴシエートされているときは）ビーコンフレームを読み取るために、ウェイクアップしなくてよい。ＤＬ  ＢＵ利用可能性は、ＴＷＴ  ＳＰ３０６中に、示すことができる。１つまたは複数の非ＡＰ  ＳＴＡは、（例えば、トラフィックパターンが変化したときは）ＴＷＴを再びネゴシエートすることができる。
【００５４】
図４は、例示的なブロードキャストされるトリガＴＷＴ４００を示す図である。ＳＴＡとＡＰとの間で、ＴＷＴ要求とＴＷＴ応答とを交換することができる。ＴＷＴ要求およびＴＷＴ応答は、ＰＳ  ＳＴＡによって監視される目標ビーコンフレームをネゴシエートすることができる。例えば、ＳＴＡは、ＴＷＴ要求をＡＰに送信して、ブロードキャストされるトリガＴＷＴの動作を要求することができる。ＡＰは、ＴＷＴ応答をＳＴＡに送信することができる。ＴＷＴ応答は、目標ＴＢＴＴになるように設定されたＴＷＴ、および／またはＳＴＡのリスン間隔になるように設定されたＴＷＴウェイク間隔を含むことができる。ＳＴＡは、ＴＷＴからＴＷＴウェイク間隔の期間を用いて、ビーコンフレームを監視することができる。ＳＴＡが、ビーコン内に含まれるＴＷＴ応答において、１つまたは複数の目標トリガ時間を受信したとき、ＳＴＡは、１つまたは複数の目標トリガ時間まで、電力を節約することができる。ＳＴＡは、（例えば、トリガフレームを受信するために）１つまたは複数の目標トリガ時間において、ウェイクアップすることができる。
【００５５】
トリガフレームのためのフォーマットは、共通情報を含むことができる。共通情報は、情報、持続時間、および／またはトリガの目的の表示のフォーマットを含むことができる。トリガフレームのためのフォーマットは、ユーザ別情報を含むことができる。ユーザ別情報は、ＡＩＤ、ＲＵ割り当て記述、および／または電力制御情報などを含むことができる。
【００５６】
図５は、例示的なトリガフレームフォーマット５００を示す図である。制御フレームフォーマットは、ＵＬ  ＭＵ  ＰＰＤＵを送信し、および／またはＵＬ  ＭＵ  ＰＰＤＵのためのリソースを割り当てる、１つまたは複数のＳＴＡを識別するための情報を含むことができる。例えば、トリガフレーム５００は、レガシヘッダ、１つもしくは複数のアドレス、１つもしくは複数のトリガ情報フィールド、および／またはＦＣＳフィールドを含むことができる。レガシヘッダは、ＦＣフィールド、および／または持続時間フィールドを含むことができる。受信機は、レガシヘッダに基づいて、ＮＡＶ設定を決定することができる。１つまたは複数のアドレスは、１つまたは複数のトリガ情報フィールドの使用および／またはフォーマットに基づいて、決定することができる。１つまたは複数のトリガ情報フィールドは、１つまたは複数の受信機についての情報を含むことができる。１つまたは複数のトリガ情報フィールドは、１つもしくは複数の受信機に共通の情報、および／または１つもしくは複数の受信機の各々に固有の情報を含むことができる。１つまたは複数のトリガ情報フィールドは、情報のフォーマットを示す１つまたは複数のサブフィールドを含むことができる。１つまたは複数のトリガ情報フィールドは、ＵＬ  ＭＵ応答の持続時間を含むことができる。１つまたは複数のトリガ情報フィールドは、トリガの目的の表示を含むことができる。１つまたは複数のトリガ情報フィールドは、ＳＴＡの識別子（例えば、ＡＩＤ）を含むことができる。１つまたは複数のトリガ情報フィールドは、ＵＬ  ＭＵ  ＭＩＭＯリソース割り当て記述（例えば、１つまたは複数の割り当てられたストリーム）を含むことができる。１つまたは複数のトリガ情報フィールドは、ＵＬ  ＯＦＤＭＡリソース割り当て記述（例えば、１つまたは複数の割り当てられたＲＵ）を含むことができる。１つまたは複数のトリガ情報フィールドは、電力制御情報を含むことができる。
【００５７】
図６は、バッファステータスポーリング／報告情報を伴った、例示的なＨＥ  Ａ制御フィールド６００を示す図である。集約された制御フィールド（例えば、ＨＥ  Ａ制御フィールド６００）は、（例えば、異なる８０２．１１ａｘ機能のために必要とされる制御情報などの）制御情報を含むことができる。ＨＥ  Ａ制御フィールド６００は、柔軟であることができる。ＨＥ  Ａ制御フィールド６００は、（例えば、最小のオーバヘッドを伴って）ＰＰＤＵに動的に追加することができる。ＨＥ  Ａ制御フィールド６００は、バッファステータスポーリング／報告情報を含むことができる。ＨＥ  Ａ制御フィールド６００は、ＱｏＳ制御フィールドを含むことができる。
【００５８】
ＷＬＡＮ内における協調的直交チャネルアクセス（ＣＯＣＡ）を提供することができる。ＷＬＡＮ内におけるＣＯＣＡは、サポートＣＯＣＡについての能力表示、ＣＯＣＡ動作のための構成、ＣＯＣＡ動作の同期、複数のＣＯＣＡフレームの識別、および／またはＣＯＣＡフレーム上における情報の搬送を含むことができる。
【００５９】
ＰＳ−Ｐｏｌｌフレームおよび／またはＣＦ−Ｐｏｌｌフレームは、ランダムアクセス方法で送信することができる。ＰＳ−Ｐｏｌｌフレームおよび／またはＣＦ−Ｐｏｌｌフレームは、トリガフレームによってトリガすることができる。図７は、ランダムアクセスを用いた例示的なＰＳ−Ｐｏｌｌ送信７００を示す図である。図８は、ランダムアクセスを用いた例示的なＣＦ−Ｐｏｌｌ送信８００を示す図である。
【００６０】
ランダムアクセスを使用したネットワーク発見およびリンクセットアップを提供することができる。ネットワーク発見およびリンクセットアップは、利用可能なＡＰの発見、サービス発見（Service Discovery）、認証（Authentication）、アソシエーション（Association）、および／またはＷＬＡＮシステムのためのＩＰアドレス割り当てを含むことができる。ＳＴＡは、アプリケーションにおける遅延を防止するために、および／または過剰な負荷が無線媒体を閉塞（clog up）させることを防止するために、（例えば、時間期間内に、例えば、迅速および／または効率的に）接続を確立する必要がある。ＳＴＡは、リンクセットアップ前には、ＡＰに知られていなくてよい。ＳＴＡとＡＰとの間のトラフィックの負荷は、予測するのが難しい（例えば、予測不可能な）ことがある。ネットワーク発見およびリンクセットアップにおいては、１つまたは複数の関連付けられていないＳＴＡは、ＡＰに知られていない可能性が高い。１つまたは複数の関連付けられていないＳＴＡのネットワーク発見およびリンクセットアップと関連付けられたトラフィック負荷は、予測するのが難しい（例えば、予測不可能な）ことがある。１つまたは複数の関連付けられていないＳＴＡは、ランダムアクセスを使用して、ネットワーク発見を行うことができる。１つまたは複数の関連付けられていないＳＴＡは、ランダムアクセスを使用して、１つまたは複数のＡＰとのリンクセットアップを行うことができる。
【００６１】
ＡＰは、１つまたは複数のタイプのフレームで、リソース割り当て情報および／またはトリガを送信することができる。リソース割り当て情報および／またはトリガは、１つまたは複数のフレームの送信のために使用することができる。例えば、ＡＰは、ビーコン（例えば、通常のビーコンまたはショートビーコン）内に、ＦＩＬＳ発見フレーム、測定パイロットフレーム、ブロードキャストプローブ応答フレーム、認証応答フレーム、または他のタイプのフレーム、プローブ要求、サービス発見、認証要求、アソシエーション要求、および／もしくは再アソシエーション要求など、ネットワーク発見およびリンクセットアップフレームの送信と関連付けられた１つもしくは複数のリソース割り当ておよび／もしくはトリガを含むことができる。
【００６２】
図９は、例示的なトリガ要素９００を示す図である。デバイス（例えば、ＡＰ、ＡＰとして動作するＳＴＡ、非ＡＰ  ＳＴＡなど）は、ビーコン、ショートビーコン、ＦＩＬＳ発見フレーム、ブロードキャストプローブ応答フレーム、認証応答フレーム、および／または他の任意のタイプのフレーム内に、トリガ要素９００を含むことができる。例えば、トリガ要素９００は、以下のフィールド、すなわち、要素ＩＤ、長さ、要素ＩＤ拡張、フォーマット、および／または１つもしくは複数のトリガフィールドのうちの１つまたは複数を含むことができる。
【００６３】
要素ＩＤおよび／または要素ＩＤ拡張フィールドは、要素がトリガ要素であることを示す（例えば、個別に、または組み合わせて示す）ことができる。長さフィールドは、トリガ要素９００内の残りの要素の長さを示すことができる。フォーマットフィールドは、トリガフィールドのフォーマットを示すことができる。トリガフィールドのフォーマットは、以下のうちの、すなわち、決定論的アクセス、ランダムアクセス、混合された決定論的アクセス、および／またはランダムアクセスのうちの１つまたは複数を含むことができる。決定論的アクセスにおいては、媒体にアクセスすることを許可された１つまたは複数のＳＴＡを（例えば、暗黙的または明示的に）示すことができる。決定論的アクセスにおいては、関連付けられたトリガされたＴＸＯＰにおけるＳＴＡのための１つまたは複数の割り当てられたリソースを（例えば、暗黙的または明示的に）示すことができる。ランダムアクセスにおいては、媒体にアクセスすることを許可された１つまたは複数のＳＴＡを示すことができる。ランダムアクセスのためのリソースプールを示すことができる。媒体アクセスのために使用されるリソース、および／またはどのＳＴＡがランダムアクセスを行うかは、決定論的でなくてよい。混合モードにおいては、決定論的およびランダムアクセスを許可（例えば、使用）することができる。ランダムアクセスのために使用される１つまたは複数のリソースを示すことができる。トリガフィールド（例えば、各トリガフィールド）のフォーマットを示すために、（例えば、各トリガフィールド内に）フォーマットフィールドを含むことができる。
【００６４】
１つまたは複数のトリガフィールドは、トリガフィールド１〜Ｎとして表すことができる。各トリガフィールドは、ある期間についてのトリガリング情報を示すことができる。各トリガフィールドは、以下のフィールド、すなわち、オフセットフィールド、タイプフィールド、持続時間フィールド、ＳＴＡ  ＩＤフィールド、リソースフィールド、および／またはＴＸ／ＲＸ設定フィールドのうちの１つまたは複数を含むことができる。
【００６５】
オフセットフィールドは、トリガされた送信のオフセットタイミングを示すことができる。オフセットタイミングは、現在のフレームの終了時に開始することができる。オフセットタイミングは、ＴＳＦタイマ値またはある時点に開始することができる。０のオフセットフィールド値は、トリガされた送信が現在のフレームの後（例えば、直後）に（例えば、ＩＦＳ、ＤＩＰＳ、ＡＩＦＳなどの何らかの事前決定された遅延を潜在的に伴って）開始することができることを示すことができる。オフセットフィールドは、含まれるパラメータのリストを通して伝達（例えば、暗黙的に伝達）することができる。
【００６６】
タイプフィールドは、トリガすることができるフレームのタイプを示すことができる。タイプフィールドの可能な値は、ＰＳ−Ｐｏｌｌ、データ、制御、管理、ネットワーク発見（例えば、プローブ要求）、リンクセットアップ（例えば、認証要求および／もしくは（再）アソシエーション要求）フレーム、ならびに／または１つまたは複数（例えば、すべて）のタイプのフレームを含むことができる。タイプフィールドは、送信を許可されたフレームのタイプであることを「１」が示す、ビットマップを含むことができる。
【００６７】
持続時間フィールドは、トリガされた送信の１つまたは複数の持続時間を含むことができる。持続時間フィールドは、トリガされた送信の１つまたは複数の持続時間を決定するために使用することができる、１つまたは複数のパラメータを含むことができる。持続時間フィールドは、パラメータのリストを含むことによって、伝達（例えば、暗黙的に伝達）することができる。
【００６８】
ＳＴＡ  ＩＤフィールドは、１つまたは複数のサブフィールドを含むことができる。ＳＴＡ  ＩＤフィールドの１つまたは複数のサブフィールドは、媒体アクセスを行うようにトリガされた１つまたは複数のＳＴＡの識別情報を含むことができる。１つまたは複数のサブフィールドの各々は、ＭＡＣアドレス、ＡＩＤ、（すべてのＳＴＡがランダムアクセスを行うことを許可されたことを暗示することができる）ブロードキャストアドレス、および／または（例えば、決定論的もしくはランダムアクセスを行うことを許可されたＳＴＡのグループを暗示することができ、決定論的アクセスのケースにおいては、グループ内のＳＴＡの順序が割り当てられるリソースの順序を暗示することができる）グループＩＤ／アドレスのうちの１つまたは複数を含むことができる。
【００６９】
リソースフィールドは、１つまたは複数のサブフィールドを含むことができる。リソースフィールドの１つまたは複数のサブフィールドは、トリガされた送信のために割り当てられた１つまたは複数のリソースを示すことができる。ランダムアクセスのケースにおいては、リソースフィールドは、どのＲＢがリソースとして使用されることを許可されるかを示すビットマップを含むことができる。混合または決定論的アクセスのケースにおいては、１つまたは複数のサブフィールドの各々は、ＳＴＡ  ＩＤフィールド内のサブフィールドに対応することができる。ＳＴＡ  ＩＤフィールド内のグループＩＤ／アドレスのケースにおいては、グループ内のＳＴＡの順序は、そのＳＴＡに割り当てられたリソースを含むサブフィールドの順序を暗示することができる。
【００７０】
ＴＸ／ＲＸ設定フィールドは、（例えば、送信電力など）トリガされた送信のためのＴＸ／ＲＸ設定を示すことができる。ＴＸ／ＲＸ設定フィールドは、変調／符号化方式（ＭＣＳ）を示すことができる。送信電力設定は、「現在フレームの送信電力」、または「ＡＰにおけるトリガされた送信の目標受信電力」として実施することができる。１つまたは複数のトリガされたＳＴＡは、送信電力設定値を使用して、トリガされた送信のための適切な送信電力を決定することができる。
【００７１】
図１０は、例示的なトリガフィールド１０００設計を示す図である。各ＴＸフィールドは、ＳＴＡ  ＩＤフィールド、リソースフィールド、および／またはＴＸ／ＲＸ設定フィールドを含むことができる。リソースフィールドは、ＳＴＡ  ＩＤフィールド内で示された１つまたは複数のＳＴＡに割り当てられた１つまたは複数のリソースを示すことができる。ＴＸ／ＲＸ設定フィールドは、ＳＴＡ  ＩＤフィールド内で示された１つまたは複数のＳＴＡと関連付けることができる。ランダムアクセス（例えば、混合またはランダムアクセスフォーマット）のケースにおいては、ＳＴＡ  ＩＤフィールドは、割り当てられたリソースがランダムアクセス用である旨のインジケータを含むことができる。インジケータは、ブロードキャストアドレス、マルチキャストアドレス、および／または特定の値を含むことができる。決定論的アクセス（例えば、混合または決定論的アクセスフォーマット）のケースにおいては、ＳＴＡ  ＩＤフィールドは、ＭＡＣアドレス、ＡＩＤ、および／または割り当てられたリソースを使用して決定論的アクセスを行うことができる他のタイプのＳＴＡ  ＩＤを含むことができる。
【００７２】
図１１は、（例えば、ランダムアクセスのための）例示的なトリガフィールド１１００設計を示す図である。例示的なトリガフィールド１１００設計は、オフセットフィールド、タイプフィールド、持続時間フィールド、ＳＴＡ  ＩＤフィールド、リソースビットマップフィールド、および／またはＴＸ／ＲＸ設定フィールドを含むことができる。ＳＴＡ  ＩＤフィールドは、１つまたは複数のＳＴＡを示すことができる。ＳＴＡ  ＩＤフィールドは、ブロードキャストアドレス、マルチキャストアドレス、グループアドレス／ＩＤ、または特定の値などの１つまたは複数の値を含むことができる。ＳＴＡ  ＩＤフィールド内で示された１つまたは複数のＳＴＡは、媒体アクセスを行うことができる。リソースビットマップフィールドは、ランダムアクセスのために使用することができる１つまたは複数のリソースを示すことができるビットマップを含むことができる。
【００７３】
トリガ要素（例えば、フィールドのサブセットおよび／またはそれのサブフィールド）は、新たに定義された要素、または（例えば、ＲＰＳ要素、ＴＷＴ要素、ＴＩＭ要素、および／もしくは電力節約要素などの）既存の要素を使用して実施することができる。トリガ要素は、トリガフレーム、ビーコンフレーム、ショートビーコンフレーム、ＦＩＬＳ発見フレーム、ＮＤＰフレーム、および／または他の任意のタイプのフレームなど、任意の既存または新しいフレームの一部として実施することができる。トリガ要素は、ＭＡＣ／ＰＨＹヘッダとして実施することができる。
【００７４】
図１２は、ネットワーク発見およびリンクセットアップ１２００と関連付けられた例を示す図である。破線矢印は、トリガされたランダムアクセスを示すことができる。実線矢印は、トリガされた決定論的アクセスを示すことができる。
【００７５】
ネットワーク発見およびリンクセットアップ１２００は、以下のうちの１つまたは複数を含むことができる。ＡＰは、ビーコンフレームまたはプローブ応答フレームをブロードキャストすることができる。ビーコンフレームまたはプローブ応答フレームは、トリガ要素を含むことができる。プローブ応答フレームは、ブロードキャストプローブ応答フレームとすることができる。トリガ要素は、１つまたは複数のトリガされた送信をトリガすることができる。トリガ要素は、ランダムアクセスおよび／または決定論的アクセスをトリガすることができる。トリガ要素は、ランダムアクセス用の１つまたは複数のリソースを、ネットワーク発見、リンクセットアップ、および／もしくはデータ、ＰＳ−Ｐｏｌｌフレーム、または１つもしくは複数の他のフレーム（例えば、すべてのタイプのフレーム）の目的で使用することができることを示すことができる。トリガ要素は、ビーコンフレームの後（例えば、直後）に、ランダムアクセスおよび／または決定論的アクセスをトリガすることができる。トリガ要素は、ＤＩＦＳ、ＡＩＦＳ、ＳＩＦＳ、または事前決定された値などの遅延を伴って、ランダムアクセスおよび／または決定論的アクセスをトリガすることができる。遅延は、ビーコン内（例えば、トリガ要素内）で示された値に基づいて、決定することができる。トリガフレームは、ビーコンフレームまたはプローブ応答フレームの後（例えば、直後）に、送信することができる。トリガフレームは、トリガ要素と類似の内容を含むことができる。
【００７６】
図１２に示されるように、ビーコン内のトリガ要素は、ランダムアクセス用のＲＢなど、１つまたは複数の（例えば、３つの）リソースを、ネットワーク発見およびリンクセットアップフレームのために割り当てることができる。プローブ応答フレーム（例えば、ブロードキャストプローブ応答フレーム）内のトリガ要素は、ランダムアクセス用の１つまたは複数のリソースを、ネットワーク発見およびリンクセットアップフレームのために割り当てることができる。ＳＴＡのグループ（または、例えば、すべてのＳＴＡ）は、ビーコンフレームまたはブロードキャストプローブ応答フレーム内で（例えば、トリガ要素内で）示された１つまたは複数のランダムアクセスリソースを使用することを許可されることができる。１つまたは複数のフレーム（例えば、すべてのタイプのフレーム）に対して、１つのリソースは、決定論的アクセス用に使用することができる。ＳＴＡ３およびＳＴＡ１２は、対応する認証要求フレームを送信するために、ランダムアクセス用のリソースまたはＲＢ１および３を（例えば、ランダムに）選択することができる。リソース２は、ランダムアクセスのためにＳＴＡによって選択されなくて良い。ＳＴＡ１は、決定論的アクセスを使用して、データフレームをＡＰに送信することができる。
【００７７】
（例えば、第２以降のトリガフィールドによって示された）２つ以上のトリガされたセッションが、ビーコンフレームまたはブロードキャストプローブ応答フレームによってトリガされるケースにおいては、トリガフレームは、第２またはそれ以降の他のトリガされたセッションの開始時に送信することができる。トリガフレームは、対応するトリガフィールドと同じ情報を含むことができる。ランダムアクセスまたは決定論的アクセスを正常に行うことができないＳＴＡは、以降のトリガされたセッションにおいて、ランダムまたは決定論的アクセスを行うことができる。より以前のトリガされたセッションにおいて衝突または失敗を経験した（例えば、送信されたパケットが送達確認されなかった）ＳＴＡは、以降のトリガされたセッションにおいて、ランダムまたは決定論的アクセスを行うことができる。トリガフレームは、トリガフレーム／トリガされたセッションが現在のトリガフレームの後に続くかどうかについての表示を含むことができる。トリガフレームは、現在のトリガされたセッションが一連のトリガされた送信における最後であるかどうかについての表示を含むことができる。現在のトリガされたセッションが一連のトリガされた送信における最後であるかどうかについての表示は、最後にトリガされた送信の後に、１つまたは複数のＳＴＡが媒体アクセスを求めて競争することを許可されることを示すことができる。以降のトリガされたセッションにおいてトリガされることが示された１つまたは複数のＳＴＡは、電力節約モードに入ることができる。１つまたは複数のＳＴＡは、後の割り当てられたトリガされたセッションにおいて、ウェイクアップすることができる。
【００７８】
ＡＰは、ＦＩＬＳ発見フレームをブロードキャストまたはマルチキャストすることができる。ＦＩＬＳ発見フレームは、トリガ要素を含むことができる。トリガ要素は、１つまたは複数のトリガされた送信をトリガすることができる。トリガ要素は、ランダムアクセスおよび／または決定論的アクセスの両方をトリガすることができる。トリガ要素は、ランダムアクセス用の１つまたは複数のリソースを、ネットワーク発見、リンクセットアップ、および／もしくはデータ、ＰＳ−Ｐｏｌｌフレーム、または１つもしくは複数のフレーム（例えば、すべてのタイプのフレーム）のために使用することができることを示すことができる。トリガ要素は、ＦＩＬＳ発見フレームの後（例えば、直後）に、ランダムアクセスおよび／または決定論的アクセスをトリガすることができる。トリガ要素は、ＤＩＦＳ、ＡＩＦＳ、ＳＩＦＳ、または事前決定された値などの遅延を伴って、ランダムアクセスおよび／または決定論的アクセスをトリガすることができる。遅延は、ＦＩＬＳ発見フレーム内（例えば、トリガ要素内）で示された値に基づいて、決定することができる。トリガフレームは、トリガ要素と類似の内容を含むことができるＦＩＬＳ発見フレームの後（例えば、直後）に、送信することができる。
【００７９】
図１２に示されるように、ＦＩＬＳ発見フレーム内のトリガ要素は、ランダムアクセス用のＲＢなど、１つまたは複数の（例えば、３つの）リソースを、ネットワーク発見およびリンクセットアップフレームのために割り当てることができる。ＳＴＡのグループ（または、例えば、すべてのＳＴＡ）は、ＦＩＬＳ発見フレーム内で示されたランダムアクセスリソースを使用することを許可されることができる。ＦＩＬＳ発見フレーム内のトリガ要素は、決定論的アクセス用のリソースを、データフレームのために割り当てることができる。例えば、ＳＴＡ２、ＳＴＡ７、およびＳＴＡ１１は、アソシエーション要求もしくは再アソシエーション要求フレーム、認証要求フレーム、および／またはプローブ要求フレームを送信するために、ランダムアクセス用のリソース１、３、および４を（例えば、ランダムに）選択することができる。ＳＴＡ６は、決定論的アクセスを使用して、データフレームをＡＰに送信することができる。
【００８０】
（例えば、第２以降のトリガフィールドによって示された）２つ以上のトリガされたセッションが、ＦＩＬＳ発見フレームによってトリガされるケースにおいては、トリガフレームは、第２以降のトリガされたセッションの開始時に送信することができる。トリガフレームは、対応するトリガフィールドと同じ情報を含むことができる。ランダムアクセスまたは決定論的アクセスを行うことができないＳＴＡは、以降のトリガされたセッションにおいて、ランダムまたは決定論的アクセスを行うことができる。より以前のトリガされたセッションにおいて衝突を経験した（例えば、送信されたパケットが送達確認されなかった）ＳＴＡは、以降のトリガされたセッションにおいて、ランダムまたは決定論的アクセスを行うことができる。トリガフレームは、トリガフレーム／トリガされたセッションが現在のトリガフレームの後に続くかどうかについての表示を含むことができる。トリガフレームは、現在のトリガされたセッションが一連の最後である旨の表示を含むことができる。以降のトリガされたセッションにおいてトリガされることが示されたＳＴＡは、電力節約モードに入ることができる。ＳＴＡは、後の割り当てられたトリガされたセッションにおいて、ウェイクアップすることができる。
【００８１】
ＡＰは、トリガ要素を含むショートビーコンフレームをブロードキャストすることができる。トリガ要素は、１つまたは複数のトリガされた送信をトリガすることができる。トリガ要素は、ランダムアクセスおよび／または決定論的アクセスの両方をトリガすることができる。トリガ要素は、ランダムアクセス用の１つまたは複数のリソースを、ネットワーク発見、リンクセットアップ、および／もしくはデータ、ＰＳ−Ｐｏｌｌフレーム、または１つもしくは複数のフレーム（例えば、すべてのタイプのフレーム）の目的で使用することができることを示すことができる。トリガ要素は、ショートビーコンフレームの後（例えば、直後）に、ランダムアクセスおよび／または決定論的アクセスをトリガすることができる。トリガ要素は、ＤＩＦＳ、ＡＩＦＳ、ＳＩＦＳ、または事前決定された値などの遅延の後に、ランダムアクセスおよび／または決定論的アクセスをトリガすることができる。遅延は、ショートビーコンフレーム内（例えば、トリガ要素内）において示すことができる。トリガフレームは、トリガ要素と類似の内容を含むことができるショートビーコンフレームの後（例えば、直後）に、送信することができる。
【００８２】
図１２に示されるように、ショートビーコンフレーム内のトリガ要素は、１つまたは複数の（例えば、２つの）リソースを割り当てることができる。１つまたは複数のリソースは、（例えば、ネットワーク発見およびリンクセットアップフレームのためのランダムアクセス用のＲＢなどの）リソース１および４を含むことができる。ＳＴＡのグループ（または、例えば、すべてのＳＴＡ）は、ショートビーコン内で示されたランダムアクセスリソースを使用することを許可されることができる。１つまたは複数のフレーム（例えば、すべてのタイプのフレーム）に対して、リソース２は、ランダムアクセス用に使用することができる。リソース３は、ＰＳ−Ｐｏｌｌのために、ランダムアクセス用に使用することができる。ＳＴＡ９およびＳＴＡ２２は、アソシエーションもしくは再アソシエーション要求フレーム、および認証要求フレームを送信するために、ランダムアクセス用のリソース１および４を（例えば、ランダムに）選択することができる。ＳＴＡ６は、決定論的アクセスを使用して、データフレームをＡＰに送信することができる。ＳＴＡ１６は、データフレームを送信するために、リソース２を（例えば、ランダムに）選択することができる。ＳＴＡ２１は、ＰＳ−Ｐｏｌｌフレームを送信するために、リソース３を（例えば、ランダムに）選択することができる。
【００８３】
（例えば、第２以降のトリガフィールドによって示された）２つ以上のトリガされたセッションが、ビーコンフレーム（例えば、ショートビーコンフレーム）によってトリガされるケースにおいては、トリガフレームは、第２以降のトリガされたセッションの開始時に送信することができる。トリガフレームは、対応するトリガフィールドと同じ情報を含むことができる。ランダムアクセスまたは決定論的アクセスを行うことができないＳＴＡは、以降のトリガされたセッションにおいて、ランダムまたは決定論的アクセスを行うことができる。より以前のトリガされたセッションにおいて衝突を経験した（例えば、送信されたパケットが送達確認されなかった）ＳＴＡ。トリガフレームは、トリガフレーム／トリガされたセッションが現在のトリガフレームの後に続くかどうかについての表示を含むことができる。トリガフレームは、現在のトリガされたセッションが一連のトリガされたセッションにおける最後である旨の表示を含むことができる。以降のトリガされたセッションにおいてトリガされることが示されたＳＴＡは、電力節約モードに入ることができる。ＳＴＡは、後の割り当てられたトリガされたセッションにおいて、ウェイクアップすることができる。
【００８４】
トリガされたセッションがランダムアクセス用（例えば、ランダムアクセス専用）であるケースにおいては、（例えば、ＡＣＫ／ＢＡ、マルチＳＴＡ  ＡＣＫ／ＢＡ、プローブ応答フレーム、認証応答フレーム、（再）アソシエーション応答フレーム、および／またはプレアソシエーションＩＤ割り当てフレームなどの）ランダムアクセスを使用して送信されたパケットに対する応答フレームは、ランダムアクセスパケットの後（例えば、直後）に、送信することができる。パケットに対する応答フレームは、ランダムアクセスパケットが送信されたのと同じリソースを使用して、送信することができる。
【００８５】
ＡＰが、複数のプローブ要求フレームを受信した場合、ＡＰは、ブロードキャストプローブ応答フレームを用いて応答することを決定する（例えば、ＡＰが応答する）ことができる。ブロードキャストプローブ応答フレームは、ブロードキャスト／マルチキャスト用に割り当てられた１つもしくは複数のリソース上における、および／またはプローブ要求フレームが受信された１つもしくは複数のリソース上における、全帯域幅にわたって送信することができる。
【００８６】
ＡＰは、ランダムアクセスパケット（例えば、ランダムアクセスを使用して送信されたＳＴＡからのネットワーク発見および／またはリンクセットアップフレーム）を受信することができる。ＡＰは、後の時点において、応答を送信することができる。応答は、ブロードキャスト／マルチキャストフレーム用に割り当てられたリソースを使用して、送信することができる。ブロードキャスト／マルチキャストリソース用に割り当てられたリソースは、特定のシーケンス、および／またはフレーム（例えば、ＭＵフレーム）のＰＨＹもしくはＭＡＣヘッダ内に含まれる１つもしくは複数のフィールドによって示すことができる。ブロードキャスト／マルチキャストリソースの例は、ランダムアクセス応答を含むことができる。ランダムアクセス応答は、特定のシーケンス、ならびに／またはＭＵフレームのＰＨＹおよび／もしくはＭＡＣヘッダ内に含まれる１つもしくは複数のフィールドによって示すことができる。ランダムアクセスパケットを送信した後、ＳＴＡは、応答フレームのためのブロードキャスト／マルチキャスト用に（例えば、ランダムアクセス応答用に）割り当てられた１つまたは複数のリソースを監視することができる。応答フレームは、特定のシーケンス、またはＭＵフレームのＰＨＹおよび／もしくはＭＡＣヘッダ内の１つもしくは複数のフィールドによって示すことができる。
【００８７】
トリガセッションが、混合されたランダムおよび決定論的アクセス用であるケースにおいて、ＳＴＡ（例えば、ＡＰ）は、１つもしくは複数のリソースを（例えば、連続的に）ランダムアクセス用に割り当て、および／または１つもしくは複数のリソースを（例えば、連続的に）決定論的アクセス用に割り当てることができる。ランダムアクセスを使用して送信されたパケットに対する応答フレームは、ランダムアクセス送信の後（例えば、何らかのＩＦＳの直後に）、送信することができる。応答フレームは、ランダムアクセスパケットが送信されたのと同じリソース上において、送信することができる。マルチＳＴＡ  ＢＡ／ＡＣＫは、１つまたは複数の以前の送信においてランダムアクセス用に割り当てられたリソース上において、ランダムアクセスを使用して送信された１つまたは複数（例えば、すべて）のフレームに対する応答フレームとして、送信することができる。決定論的アクセスを使用して送信されたパケットに対する応答フレームは、決定論的アクセス用に割り当てられたのと同じリソース上において、送信することができる。例えば、マルチＳＴＡ  ＢＡ／ＡＣＫは、１つまたは複数の以前の送信において決定論的アクセスを使用して送信されたパケットに対する応答フレームとして、送信することができる。
【００８８】
ＭＵ送信と関連付けられたネットワーク発見およびリンクセットアップを提供することができる。ネットワーク発見およびリンクセットアップは、ＡＰと関連付けられていないＳＴＡとの間の２つ以上のフレーム交換を利用することができる。最後のいくつかのフレーム交換のうちで、関連付けられていないＳＴＡにアソシエーションＩＤ（ＡＩＤ）を割り当てることができる。ＡＩＤを割り当てられる前は、関連付けられていないＳＴＡは、この基本サービスセット（ＢＳＳ）内においてＡＰによって使用することができるアイデンティティを有さないことがある。シングルユーザ送信を用いる場合、ＡＰは、第１のフレーム交換の後は、関連付けられていないＳＴＡのＭＡＣアドレスを使用することができる。（例えば、ＭＡＣアドレスは４８ビット長であるので）関連付けられていないＳＴＡをＭＡＣアドレスによって識別することは、非効率的なことがある。マルチユーザ送信を用いる場合、関連付けられていないＳＴＡをＭＡＣアドレスによって識別することは、より非効率的なことがある。例えば、ＡＰは、ＰＬＣＰヘッダ内の限られたシグナリングビットを使用して、関連付けられていないＳＴＡにリソース割り当てを伝達する（signal:シグナリング）必要があることがある。
【００８９】
プレアソシエーションＩＤ（ＰＩＤ）を提供することができる。ＡＰは、ＰＩＤを使用して、関連付けられていないＳＴＡを識別することができ、そのほうが、より効率的なことがある。ＡＰは、例えば、関連付けられていないＳＴＡがＡＰとのアソシエーションを行う前の、１つまたは複数のフレーム交換において、ＰＩＤを使用して、関連付けられていないＳＴＡを識別することができる。
【００９０】
ＰＩＤは、ＡＰによって、（例えば、明示的にＡＰからＳＴＡへのシグナリングを通して）割り当てることができる。ＰＩＤは、事前定義されたルールおよび／または公式に基づいて、ＡＰおよび／または関連付けられていないＳＴＡによって（例えば、別々に）計算することができる。ＰＩＤは、例えば、ＡＰと関連付けられていないＳＴＡとの間の第１のフレーム交換の後に、決定することができる。
【００９１】
ＰＩＤは、（例えば、関連付けられていないＳＴＡがＡＰとのアソシエーションを行う前の）時間期間内において、関連付けられていないＳＴＡを識別するために、ＢＳＳＩＤまたはＡＰのＭＡＣアドレスと一緒に（例えば、一意的またはほぼ一意的に）使用することができる。ＰＩＤは、関連付けられていないＳＴＡにＡＩＤが割り当てられる前に、関連付けられていないＳＴＡを識別するために、例えば、ＡＰによって、使用することができる。例えば、ＰＩＤは、関連付けられていないＳＴＡに通常および／または永続的なＡＩＤが割り当てられる前に、有効であることができる。関連付けられていないＳＴＡがＡＰとのアソシエーションに失敗したケースにおいては、ＡＰは、ＰＩＤがもはや利用可能でないことを関連付けられていないＳＴＡに伝達し、ＰＩＤを他の関連付けられていないＳＴＡに割り当て、および／またはＰＩＤの存続期間を明示的に定義することができる。ＡＰは、事前定義されたＰＩＤ存続期間を関連付けられていないＳＴＡに伝達する（signal：シグナリング）ことができる。事前定義されたＰＩＤ存続期間は、対応するＰＩＤが有効な時間期間を定義することができる。
【００９２】
ＡＰおよび関連付けられていないＳＴＡは、事前定義されたルール／公式によって、ＰＩＤを別々に計算することができる。ＡＰおよび関連付けられていないＳＴＡは、例えば、追加のシグナリングを用いずに、ＡＰおよび関連付けられていないＳＴＡの両方に知られた情報を使用して、ＰＩＤを計算することができる。例えば、ＡＰは、関連付けられていないＳＴＡのＭＡＣアドレスを知ることができ、関連付けられていないＳＴＡは、ＡＰのＭＡＣアドレスを知ることができる。ＰＩＤは、ＢＳＳＩＤ（例えば、ＡＰのＭＡＣアドレス）と、関連付けられていないＳＴＡのＭＡＣアドレスとの関数とすることができる。ＰＩＤは、
ＰＩＤ＝ｆｕｎｃｔｉｏｎ（ＢＳＳＩＤ，関連付けられていないＳＴＡのＭＡＣアドレス）
と表すことができる。
【００９３】
ＰＩＤは、ＢＳＳＩＤおよび／またはＳＴＡのＭＡＣアドレスよりも僅かのビットを含むことができる。ＰＩＤは、普遍的に一意でなくて良い。
【００９４】
ＰＩＤが計算されるケースにおいては、第１のフレーム交換の（例えば、タイムスタンプ、ＴＳＦタイマ、またはトリガにおけるＴＳＦタイマの圧縮されたバージョンなどの）時間関連パラメータを考慮することができる。第１のフレーム交換および／または他のＤＬフレームをトリガするトリガフレームは、時間関連パラメータを含むことができる。ＰＩＤは、
ＰＩＤ＝ｆｕｎｃｔｉｏｎ（ＢＳＳＩＤ，関連付けられていないＳＴＡのＭＡＣアドレス，時間関連パラメータ）
と表すことができる。
【００９５】
関数は、事前定義された、ならびに／またはＡＰおよび関連付けられていないＳＴＡの両方に知られた、ハッシュ関数を含むことができる。
【００９６】
ＡＰおよび関連付けられていないＳＴＡは、事前定義されたルールおよび／または公式に基づいて、ＰＩＤを別々に（例えば、独立して）計算することができる。ＡＰおよび関連付けられていないＳＴＡは、ＡＰおよび関連付けられていないＳＴＡの両方に知られた情報を使用して、ＰＩＤを計算することができる。計算は、トリガベースのアソシエーションと関連付けることができる。関連付けられていないＳＴＡからの第１のＵＬ送信は、トリガフレームによって開始することができる。関連付けられていないＳＴＡからの第１のＵＬ送信は、例えば、ビーコンフレームなど、別のタイプのフレーム内のトリガ要素によって開始することができる。トリガフレームまたはトリガ要素内に、トリガトークンフィールドを含むことができる。
【００９７】
トリガトークンフィールドは、与えられた時間期間内においてトリガフレームまたはトリガ要素を識別する（例えば、一意的に識別する）ために使用することができる、整数を含むことができる。
【００９８】
トリガトークンフィールドは、［０，２＾ｋ−１］の範囲内のＫビットを含むことができる。ＡＰは、各トリガフレーム／要素送信ごとに、トリガトークン番号を１だけ増やすことができる。
【００９９】
最大トリガトークン番号に達したケースにおいては、ＡＰは、トリガトークンをリスタート（して、例えば、０からカウント）することができる。
【０１００】
関連付けられていないＳＴＡが、ＵＬフレームをＡＰに正常に送信したケースにおいて、ＡＰおよび／または関連付けられていないＳＴＡは、送信をトリガしたトリガフレーム／要素のトリガトークン番号を獲得することができる。
【０１０１】
ＡＰおよび／または関連付けられていないＳＴＡは、送信のために利用されたＲＵインデックスを知ることができる。２つ以上のＲＵが利用されたケースにおいては、ＡＰおよび／または関連付けられていないＳＴＡは、（例えば、ただ１つの）ＲＵインデックスを記録することができる。例えば、関連付けられていないＳＴＡは、ＵＬ送信のために、ＲＵ２およびＲＵ７を利用することができる。関連付けられていないＳＴＡおよび／またはＡＰは、ＲＵインデックスをＲＵ２として記録することができる。ＰＩＤは、
ＰＩＤ＝ｆｕｎｃｔｉｏｎ（トリガトークン，ＲＵインデックス）
と表すことができる。
【０１０２】
ＡＰは、ＰＩＤを１つまたは複数の関連付けられていないＳＴＡに割り当てることができる。
【０１０３】
ＰＩＤは、ＡＩＤの一部を含むことができる。ＰＩＤは、ＡＩＤと関連付けられた特定のシーケンスとすることができる。例えば、ＡＩＤ内の数からなる第１のシーケンスは、ＩＤがＰＩＤだけであることを示すために使用することができる。
【０１０４】
ＰＩＤは、トリガフレームおよび／またはトリガ要素において、割り当てることができる。トリガフレームおよび／またはトリガ要素が、ランダムアクセス送信を開始したケースにおいては、ＡＰは、１つまたは複数のＲＵ上において正常に送信した関連付けられていないＳＴＡが、特定のＰＩＤを使用することができることを示すことができる。
【０１０５】
ＰＩＤは、ＵＬ送信に対するＤＬ送達確認において、割り当てることができる。ＤＬ送達確認は、マルチＳＴＡ  ＢＡおよび単一のＡＣＫ／ＢＡのうちの１つまたは複数を含むことができる。例えば、決定論的送信に対する１つまたは複数の送達確認は、マルチＳＴＡ  ＢＡのフォーマットを取ることができる。マルチＳＴＡ  ＢＡにおいては、ＡＩＤを利用して、ＳＴＡを示すことができる。ランダム送信に対しては、ＯＦＤＭＡを使用して、単一のＡＣＫおよび／またはＢＡを送信することができる。例えば、以前のランダムアクセスのためにＳＴＡによって使用されたＲＵへの事前定義されたマッピングに従って決定されたＲＵ上において、ＡＣＫ／ＢＡを送信することができる。個々のＡＣＫ／ＢＡがＯＦＤＭＡモードを用いて送信されるケースにおいて、１つまたは複数のＡＣＫ／ＢＡフレームを、ＰＩＤフィールドを含むように変更することができる。
【０１０６】
ＡＰは、事前定義されたＰＩＤ存続期間、例えば、ＰＩＤがいつ割り当てられるかを伝達する（signal：シグナリング）ことができる。例えば、規格において定義されるような、固定された事前定義されたＰＩＤ存続期間を決定することができる。
【０１０７】
図１３は、ＭＵ送信を使用する例示的なネットワーク発見およびリンクセットアップ１３００を示す図である。以下のうちの１つまたは複数を適用することができる。
【０１０８】
ＡＰ１３０２は、トリガフレームおよび／またはトリガ要素１３０８を送信することができる。トリガフレームおよび／またはトリガ要素１３０８は、ランダムアクセスを開始することができる。ＡＰ１３０２は、トリガフレームおよび／またはトリガ要素１３０８内に（例えば、ＰＩＤ計算および／または割り当てに応じて）ＰＩＤを含むことができる。トリガ要素１３０８は、ビーコンフレーム１３１０内に含むことができる。
【０１０９】
１つもしくは複数の非ＡＰ  ＳＴＡ１３０４、および／または１つもしくは複数の意図されていないＳＴＡ１３０６は、トリガフレームおよび／またはトリガ要素１３０８を受信することができる。１つまたは複数の非ＡＰ  ＳＴＡ１３０４は、関連付けられていないＳＴＡ（例えば、ＳＴＡ３）を含むことができる。関連付けられていないＳＴＡは、例えば、トリガ要素１３０８によって、ランダムアクセス用に割り当てられたＲＵにおいて、第１のフレーム（例えば、フレームＡ１３１２を送信することができる。第１のフレーム１３１２は、アソシエーション前の任意のフレームとすることができる。例えば、第１のフレーム１３１２は、認証要求フレームとすることができる。
【０１１０】
ＰＩＤは、ＡＰ１３０２および／または関連付けられていないＳＴＡにおいて、計算することができる。ＡＰ１３０２は、トリガフレームおよび／またはトリガ要素１３０８を使用して、ＰＩＤを割り当てる（例えば、関連付けられていないＳＴＡに示す）ことができる。例えば、ＰＩＤは、トリガ要素１３０８内に含むことができる。ＡＰ１３０２は、ＤＬ送達確認フレームを使用して、ＰＩＤを割り当てることができる。
【０１１１】
ＡＰ１３０２は、以前のＵＬ送信に対する送達確認（ＡＣＫ：Acknowledgement）を送信することができる。例えば、ＡＰ１３０２は、関連付けられていないＳＴＡからの第１のフレーム１３１２の受信に応答して、ＡＣＫを送信することができる。ＡＣＫは、（例えば、ＡＰ１３０２および関連付けられていないＳＴＡの両方がＰＩＤを知っている場合）、マルチＳＴＡ  ＢＡ１３１４とすることができる。マルチＳＴＡ  ＢＡ１３１４は、関連付けられていないＳＴＡのためのＰＩＤを示すことができる。ＰＩＤは、（例えば、関連付けられていないＳＴＡのためにＡＩＤが割り当てられていない場合）、ＡＩＤの代わりに使用することができる。
【０１１２】
第２のＴＸＯＰ１３２６は、第１のＴＸＯＰ１３１６の後に続く（例えば、直後に続く）ことができる。ＡＰ１３０２は、信号フレーム１３１８を送信することができる。ＡＰ１３０２は、ＭＵ送信を使用して、第２のフレーム１３２０（例えば、フレームＢ）を関連付けられていないＳＴＡに送信することができる。信号フレーム１３１８および／または第２のフレーム１３２０は、第２のＴＸＯＰ１３２６において送信することができる。第２のフレーム１３２０は、アソシエーション前の任意のフレームとすることができる。例えば、第２のフレーム１３２０は、認証応答フレームとすることができる。ＡＰ１３０２は、ＨＥ  ＳＩＧ−Ａ、ＨＥ  ＳＩＧ−Ｂ、および／またはＨＥ  ＳＩＧ−Ａ／ＳＩＧ−Ｂを含む、ＨＥ  ＳＩＧフィールド内にリソース割り当てを含むことができる。ＨＥ  ＳＩＧフィールドは、第２のフレーム１３２０のＰＬＣＰヘッダ内において搬送することができる。第２のフレーム１３２０は、（例えば、リソース割り当て目的で）例えば、ＳＩＧフィールドの共通部分および／またはユーザ固有部分内に、ＰＩＤを含むことができる。トリガフレーム１３２２は、第２のフレーム１３２０の後に続くことができる。トリガフレーム１３２２は、関連付けられていないＳＴＡからのアップリンク送達確認１３２４をトリガすることができる。例えば、関連付けられていないＳＴＡは、トリガフレーム１３２２を受信することができる。関連付けられていないＳＴＡは、トリガフレーム１３２２に応答して、ＵＬ  ＡＣＫ１３２４を送信することができる。トリガフレーム１３２２は、関連付けられていないＳＴＡを示すＰＩＤを含むことができる。
【０１１３】
関連付けられていないＳＴＡは、例えば、第２のＴＸＯＰにおいて、第２のフレーム１３２０を受信してからｘＩＦＳ時間後に、ＵＬ  ＡＣＫ１３２４をＡＰ１３０２に送信することができる。
【０１１４】
第３のＴＸＯＰ１３３６は、第２のＴＸＯＰ１３２６の後に続く（例えば、直後に続く）ことができる。ＡＰ１３０２は、ランダムアクセスおよび／または決定論的アクセスをトリガするために、トリガフレーム１３２８を送信することができる。トリガフレーム１３２８は、第３のＴＸＯＰ１３３６において送信することができる。ＡＰ１３０２が関連付けられていないＳＴＡからの決定論的アクセスをトリガするケースにおいては、トリガフレーム１３２８内にＰＩＤを含むことができる。
【０１１５】
関連付けられていないＳＴＡは、トリガフレーム１３２８に応答して、アソシエーション要求フレーム１３３０をＡＰ１３０２に送信することができる。関連付けられていないＳＴＡは、トリガフレーム１３２８を受信してからｘＩＦＳ時間後に、アソシエーション要求フレーム１３３０を送信することができる。関連付けられていないＳＴＡは、１つまたは複数のＲＵを使用して、アソシエーション要求フレーム１３３０をＡＰ１３０２に送信することができる。
【０１１６】
ＡＰ１３０２は、アソシエーション応答フレーム１３３２を関連付けられていないＳＴＡに送信することができる。アソシエーション応答フレーム１３３２は、ＰＩＤを含むＡＣＫを含むことができる。ＡＰ１３０２は、アソシエーション要求フレーム１３３０を受信してからｘＩＦＳ時間後に、アソシエーション応答フレーム１３３２を送信することができる。ＡＰ１３０２は、第３のＴＸＯＰ１３３６または次のＴＸＯＰにおいて、アソシエーション応答フレーム１３３２を送信することができる。ＡＰ１３０２は、関連付けられていないＳＴＡにＡＩＤを割り当てることができる。その後、関連付けられていないＳＴＡを識別するために、ＡＩＤを利用することができ、ＡＩＤを割り当てると、ＰＩＤは、もはや有効でなくてよい。アソシエーション応答フレームは、ＡＩＤを含むことができる。ＡＰ１３０２は、関連付けられていないＳＴＡのためのＡＩＤとして、ＰＩＤを使用することを決定することができる。
【０１１７】
第１のＴＸＯＰ１３１６は、（例えば、関連付けられていないＳＴＡからの）ＵＬ情報を搬送することができる例示的なフレーム交換と解釈することができる。第２のＴＸＯＰ１３２６は、（例えば、ＡＰ１３０２からの）ＤＬ情報を搬送することができる例示的なフレーム交換と解釈することができる。
【０１１８】
Ｗｉ−Ｆｉシステムにおいては、ＡＰは、電力節約モードにある１つまたは複数のＳＴＡのためのパケットをバッファすることができる。ＡＰは、ビーコンおよび／またはショートビーコン内において、１つまたは複数のＳＴＡのためのバッファされたパケットを公表（announce：アナウンス）することができる。ＳＴＡは、ＰＳ−Ｐｏｌｌおよび／または他のフレームをＡＰに送信して、それがウェイクしており、ＤＬパケットを取得する用意ができていることを示すことができる。（例えば、ＯＦＤＭＡおよびＵＬ  ＭＩＭＯが、８０２．１１に組み込まれていることを前提として）効率的なＭＵ  ＤＬデータ取得を提供することができる。
【０１１９】
図１４は、ＰＩＤを有するマルチＳＴＡ  ＢＡのための例示的なフレームフォーマット１４００を示す図である。ＳＴＡに対する送達確認は、個々のＡＣＫ／ＢＡ内に含むことができる。（例えば、ＳＴＡ以外の）ＵＬ送信の残りに対する１つまたは複数の送達確認は、マルチＳＴＡ  ＢＡおよび／または個々のＡＣＫ／ＢＡのフォーマットを取ることができる。
【０１２０】
図１５は、トリガされたＰＳ−Ｐｏｌｌおよび／またはＤＬパケット取得のための例示的な手順１５００を示す図である。ＡＰは、ＴＩＭ要素および／またはトリガ要素を含む、ビーコンフレームまたはショートビーコンフレームをブロードキャストすることができる。ＴＩＭ要素は、１つまたは複数のＳＴＡがＡＰにおいて１つまたは複数のバッファされたパケットを有することを示すことができる。トリガ要素は、１つまたは複数のトリガされた送信をトリガすることができる。ＴＩＭ要素およびトリガ要素は、１つまたは複数のＳＴＡのための１つまたは複数のバッファされたパケット、およびＳＴＡがＤＬパケットを取得するための１つまたは複数のトリガされたセッションを示すために、組み合わせることができる。トリガ要素は、ランダムアクセスおよび／または決定論的アクセスをトリガすることができる。トリガ要素は、ランダムアクセス用の１つまたは複数のリソースを、データ、ＰＳ−Ｐｏｌｌフレーム、および／または他のタイプのフレームのために使用することができることを示すことができる。トリガ要素は、ビーコンフレームまたはショートビーコンフレームの後（例えば、直後）に、ランダムアクセスおよび／または決定論的アクセスをトリガすることができる。トリガ要素は、ＤＩＦＳ、ＡＩＦＳ、ＳＩＦＳ、または事前決定された値などの遅延の後に、ランダムアクセスおよび／または決定論的アクセスをトリガすることができる。遅延は、ビーコンフレームまたはショートビーコンフレーム内（例えば、トリガ要素内）において示される値とすることができる。ＤＬデータ取得を行うためにＳＴＡに割り当てられる正確なリソースは、ＴＩＭ要素内の表示（例えば、肯定的表示）の位置によって決定することができる。ＴＩＭ／トリガ要素またはそれらの組み合わせは、割り当てられるリソースのサイズを暗黙的または明示的に示すことができる。
【０１２１】
トリガフレームは、ビーコンフレームまたはショートビーコンフレームの後（例えば、直後）に、送信することができる。トリガフレームは、トリガ要素と類似の内容を含むことができる。
【０１２２】
図１５に示されるように、ショートビーコンフレーム内のトリガ要素は、１つまたは複数（例えば、２つ）のリソースを割り当てることができる。１つまたは複数のリソースは、リソース１、２、３を含むことができる。１つまたは複数のリソースは、ＤＬデータ取得、またはＰＳ−Ｐｏｌｌ、および／もしくはデータフレームのための、ランダムアクセス用のＲＢとすることができる。ＳＴＡのグループ（例えば、すべてのＳＴＡ）は、ビーコンフレームまたはショートビーコンフレーム内（例えば、トリガ要素内）において示される１つまたは複数のランダムアクセスリソースを使用することを許可されることができる。ＳＴＡのグループは、ＳＴＡ１がＤＬデータ取得を行うための、決定論的アクセス用のリソース（例えば、リソース４）を使用することを許可されることができる。リソース４の位置は、ＳＴＡ１のためのＴＩＭ要素内の位置表示に基づいて、決定することができる。ＳＴＡ３は、ランダムアクセス用のリソース１を選択して（例えば、ランダムに選択して）、ＰＳ−ＰｏｌｌをＡＰに送信することができる。ＳＴＡ１２は、ＵＬデータパケットを含むことができる。ＳＴＡ１２は、ランダムアクセス用のリソース３を選択して（例えば、ランダムに選択して）、データパケットをリソース３上においてＡＰに送信することができる。リソース３は、ＰＳ−Ｐｏｌｌとしての役割も果たすことができる。リソース２は、ランダムアクセスにおいて、ＳＴＡによって選択されなくてよい。ＳＴＡ１は、決定論的アクセスを使用して、ＰＳ−ＰｏｌｌをＡＰに送信することができる。
【０１２３】
（例えば、第２以降のトリガフィールドによって示される）２つ以上のトリガセッションが、ショートビーコンフレームによってトリガされるケースにおいては、トリガフレーム、および／または別のビーコンフレームもしくはショートビーコンフレームは、第２以降のトリガされたセッションの開始時に、送信することができる。トリガフレーム、および／または他のビーコンフレームもしくはショートビーコンフレームは、対応するトリガフィールドと同じまたは異なる情報を含むことができる。ランダムアクセスまたは決定論的アクセスを行うことができないＳＴＡは、以降のトリガされたセッションにおいて、ランダムまたは決定論的アクセスを行うことができる。より以前のトリガされたセッションにおいて衝突を経験した（例えば、送信されたパケットが送達確認されなかった）ＳＴＡは、以降のトリガされたセッションにおいて、ランダムまたは決定論的アクセスを行うことができる。トリガフレーム、ビーコンフレーム、またはショートビーコンフレームは、さらなるトリガフレーム／トリガされたセッションが現在のトリガフレームの後に続くかどうかについての表示を含むことができる。トリガフレーム、ビーコンフレーム、またはショートビーコンフレームは、現在のトリガされたセッションが一連の最後である旨の表示を含むことができる。以降のトリガされたセッションにおいてトリガされることが示された１つまたは複数のＳＴＡは、電力節約モードに入ることができる。１つまたは複数のＳＴＡは、後の割り当てられたトリガされたセッションにおいて、ウェイクアップすることができる。
【０１２４】
本明細書において、特徴が説明されたが、各特徴または要素は、他の特徴を伴わずに、または他の特徴を伴ったもしくは伴わない様々な組み合わせで使用することができる。
【０１２５】
例においては、様々なフレーム間間隔を示すために、ＳＩＦＳが使用されたが、ＲＩＦＳ、ＡＩＦＳ、ＤＩＦＳ、または他の合意された時間間隔など、他のフレーム間間隔を、同じソリューションにおいて適用することができる。
【０１２６】
例におけるように、トリガされたＴＸＯＰ当たりある数のＲＢを示すことができるが、利用されるＲＢ／チャネル／帯域幅の実際の数は、様々であることができる。
【０１２７】
ＷＴＲＵは、物理デバイスのアイデンティティ、またはサブスクリプション関連のアイデンティティ、例えば、ＭＳＩＳＤＮ、ＳＩＰ  ＵＲＩなどの、ユーザのアイデンティティのこととすることができる。ＷＴＲＵは、アプリケーションベースのアイデンティティ、例えば、アプリケーションごとに使用することができるユーザ名のこととすることができる。
【０１２８】
上で説明されたプロセスは、コンピュータおよび／またはプロセッサによって実行される、コンピュータ可読媒体内に包含された、コンピュータプログラム、ソフトウェア、および／またはファームウェアで実施することができる。コンピュータ可読媒体の例は、限定することなく、（有線および／もしくは無線接続上で送信される）電子信号、ならびに／またはコンピュータ可読記憶媒体を含む。コンピュータ可読記憶媒体の例は、限定することなく、リードオンリメモリ（ＲＯＭ）、ランダムアクセスメモリ（ＲＡＭ）、レジスタ、キャッシュメモリ、半導体メモリデバイス、内蔵ハードディスクおよびリムーバブルディスクなどの、しかし、それらに限定されない、磁気媒体、光磁気媒体、ならびに／またはＣＤ−ＲＯＭディスクおよび／もしくはデジタル多用途ディスク（ＤＶＤ）などの光媒体を含む。ＷＴＲＵ、端末、基地局、ＲＮＣ、および／または任意のホストコンピュータにおいて使用するための無線周波数送受信機を実施するために、ソフトウェアと連携するプロセッサを使用することができる。
【図１Ａ】
2018534862.tif 000003
【図１Ｂ】
2018534862.tif 000004
【図１Ｃ】
2018534862.tif 000005
【図２】
2018534862.tif 000006
【図３】
2018534862.tif 000007
【図４】
2018534862.tif 000008
【図５】
2018534862.tif 000009
【図６】
2018534862.tif 000010
【図７】
2018534862.tif 000011
【図８】
2018534862.tif 000012
【図９】
2018534862.tif 000013
【図１０】
2018534862.tif 000014
【図１１】
2018534862.tif 000015
【図１２】
2018534862.tif 000016
【図１３】
2018534862.tif 000017
【図１４】
2018534862.tif 000018
【図１５】
2018534862.tif 000019
【手続補正書】
【提出日】平成30年6月25日(2018.6.25)
【手続補正１】
【補正対象書類名】特許請求の範囲
【補正対象項目名】全文
【補正方法】変更
【補正の内容】
【特許請求の範囲】
【請求項１】
メモリと、
送受信機と、
プロセッサと
を備えた局（ＳＴＡ）であって、
アクセスポイント（ＡＰ）からブロードキャスト送信を経由して、トリガを含む目標ウェイクアップ時間（ＴＷＴ）要素を受信し、前記トリガは関連付けられていないＳＴＡによるランダムアクセスのための連続するリソースを示しており、前記ＳＴＡは前記ＡＰとは関連付けられておらず、
ランダムアクセスのための前記連続するリソースの１つ以上を使用してアソシエーション要求フレームを送信し、
前記アソシエーション要求フレームに応答して、マルチＳＴＡ送達確認（ＡＣＫ）／ブロックＡＣＫ（ＢＡ）を含む応答フレームを受信する
よう構成されたＳＴＡ。
【請求項２】
前記アソシエーション要求フレームは、前記トリガに応答して送信されることを特徴とする請求項１に記載のＳＴＡ。
【請求項３】
前記アソシエーション要求フレームは、前記トリガを受信して、インターフェース空間（ｘＩＦＳ）時間後に送信されることを特徴とする請求項１に記載のＳＴＡ。
【請求項４】
前記トリガは、前記ＴＷＴ要素のサブフィールドであることを特徴とする請求項１に記載のＳＴＡ。
【請求項５】
前記トリガは、前記連続するリソースがネットワーク発見またはリンク設定の１つ以上に対して利用可能であることを示していることを特徴とする請求項１に記載のＳＴＡ。
【請求項６】
前記応答フレームは、ランダムアクセスのための前記連続するリソースを経由して受信されることを特徴とする請求項１に記載のＳＴＡ。
【請求項７】
局（ＳＴＡ）が、アクセスポイント（ＡＰ）からブロードキャスト送信を経由して、トリガを含む目標ウェイクアップ時間（ＴＷＴ）要素を受信するステップであって、前記トリガは関連付けられていないＳＴＡによるランダムアクセスのための連続するリソースを示しており、前記ＳＴＡは前記ＡＰとは関連付けられていない、受信するステップと、
前記ＳＴＡが、ランダムアクセスのための前記連続するリソースの１つ以上を使用してアソシエーション要求フレームを送信するステップと、
前記ＳＴＡが、前記アソシエーション要求フレームに応答して、マルチＳＴＡ送達確認（ＡＣＫ）／ブロックＡＣＫ（ＢＡ）を含む応答フレームを受信するステップと
を備える方法。
【請求項８】
前記アソシエーション要求フレームは、前記トリガに応答して送信されることを特徴とする請求項７に記載の方法。
【請求項９】
前記アソシエーション要求フレームは、前記トリガを受信して、インターフェース空間（ｘＩＦＳ）時間後に送信されることを特徴とする請求項７に記載の方法。
【請求項１０】
前記トリガは、前記ＴＷＴ要素のサブフィールドであり、並びに、前記連続するリソースがネットワーク発見またはリンク設定の１つ以上に対して利用可能であることを示していることを特徴とする請求項７に記載の方法。
【請求項１１】
メモリと、
送受信機と、
プロセッサと
を備えたアクセスポイント（ＡＰ）であって、
ブロードキャスト送信を経由して、局（ＳＴＡ）へ、トリガを含む目標ウェイクアップ時間（ＴＷＴ）要素を送信し、前記トリガは関連付けられていないＳＴＡによるランダムアクセスのための連続するリソースを示しており、前記ＳＴＡは前記ＡＰとは関連付けられておらず、
前記ＳＴＡから、ランダムアクセスのための前記連続するリソースの１つ以上を経由してアソシエーション要求フレームを受信し、
前記ＳＴＡへ、前記アソシエーション要求フレームに応答して、マルチＳＴＡ送達確認（ＡＣＫ）／ブロックＡＣＫ（ＢＡ）を含む応答フレームを送信する
よう構成されたＡＰ。
【請求項１２】
前記アソシエーション要求フレームは、前記トリガに応答して受信されることを特徴とする請求項１１に記載のＡＰ。
【請求項１３】
前記アソシエーション要求フレームは、前記トリガを受信して、インターフェース空間（ｘＩＦＳ）時間後に送信されることを特徴とする請求項１１に記載のＡＰ。
【請求項１４】
前記トリガは、前記ＴＷＴ要素のサブフィールドであることを特徴とする請求項１１に記載のＡＰ。
【請求項１５】
前記トリガは、前記連続するリソースがネットワーク発見またはリンク設定の１つ以上に対して利用可能であることを示していることを特徴とする請求項１１に記載のＡＰ。
【国際調査報告】
2018534862.tif 000020
2018534862.tif 000021
2018534862.tif 000022